(57)【特許請求の範囲】
【請求項１】
冷蔵庫本体に設けられ、収納物を冷却する貯蔵室と、
前記貯蔵室を開閉する扉体と、
前記扉体の内側に設けられ、前記扉体の幅方向に側壁の一部が突出した幅広部を有する扉ポケットと、
少なくとも一部が前記幅広部に収められる形状であり、前記扉ポケット内を仕切る仕切り部材と、を備え、
前記仕切り部材は、前記扉ポケット内を仕切る仕切り部本体と、前記扉ポケットの底面に設けられた嵌合部に嵌合することで前記扉ポケットに前記仕切り部本体を保持する仕切り部材嵌合部と、を有し、
前記仕切り部材嵌合部が前記扉ポケットの底面に設けられた嵌合部に取り付け角度あるいは取り付け箇所を可変に嵌合されることで、前記扉ポケットの幅方向を０度、前記扉ポケットの奥行き方向を９０度とする時、前記仕切り部本体の取り付け角度を０度、略９０度の方向に可変に取り付け可能としたことを特徴とする冷蔵庫。
【請求項２】
冷蔵庫本体に設けられ、収納物を冷却する貯蔵室と、
前記貯蔵室を開閉する扉体と、
前記扉体の内側に設けられ、前記扉体の幅方向に側壁の一部が突出した幅広部を有する扉ポケットと、
少なくとも一部が前記幅広部に収められる形状であり、前記扉ポケット内を仕切る仕切り部材と、を備え、
前記仕切り部材は、前記扉ポケット内を仕切る仕切り部本体と、前記扉ポケットの底面に設けられた嵌合部に嵌合することで前記扉ポケットに前記仕切り部本体を保持する仕切り部材嵌合部と、を有し、前記仕切り部材嵌合部が前記扉ポケットの底面に設けられた嵌合部に取り付け角度あるいは取り付け箇所を可変に嵌合され、
前記扉ポケットの幅方向を０度、前記扉ポケットの奥行き方向を９０度とする時、前記仕切り部本体は、前記扉ポケットの奥行き方向長さよりも短い長さであって、略９０度の方向に取り付け可能にしたことを特徴とする冷蔵庫。
【請求項３】
前記仕切り部材嵌合部は、円柱形状などが突出した凸形状であり、前記嵌合部が止まり穴や貫通穴などの凹形状であって、前記仕切り部材嵌合部が前記嵌合部に嵌合することで前記仕切り部材が前記扉ポケットに保持されることを特徴とする請求項１または請求項２に記載の冷蔵庫。
【請求項４】
前記仕切り部材が仕切り部本体とスライド仕切り部とから構成され、前記スライド仕切り部が前記仕切り部本体に収納可能であり、前記スライド仕切り部を前記仕切り部本体よりスライドさせて引き出すことで仕切りの長さを可変にできるようにしたことを特徴とする請求項１乃至請求項３のいずれかに記載の冷蔵庫。
【請求項５】
前記仕切り部材が仕切り部本体と回動可能仕切り部とから構成され、前記回動可能仕切り部が前記仕切り部本体に設けられたヒンジ部を介して回動可動であることを特徴とする請求項１乃至請求項４のいずれかに記載の冷蔵庫。
【請求項６】
前記仕切り部材は、板状の仕切り部本体と、前記仕切り部本体が立設するように設けられた台座部と、前記台座部の前記仕切り部本体が設けられた面とは反対側の面に突出するように設けられた仕切り部材嵌合部、とから構成されることを特徴とする請求項１乃至請求項５のいずれかに記載の冷蔵庫。
【請求項７】
前記嵌合部が、貫通穴あるいは止まり穴などの複数の嵌合穴であって、前記嵌合穴が少なくとも格子状、千鳥格子状、三角形状、または多角形状に配置されていることを特徴とする請求項１乃至請求項６のいずれかに記載の冷蔵庫。
【請求項８】
冷蔵庫本体に設けられ、収納物を冷却する貯蔵室と、
前記貯蔵室を開閉する扉体と、
前記扉体の内側に設けられ、前記扉体の幅方向に側壁の一部が突出した幅広部を有する扉ポケットと、
少なくとも一部が前記幅広部に収められる形状であり、前記扉ポケット内を仕切る仕切り部材と、を備え、
前記仕切り部材は、前記扉ポケット内を仕切る仕切り部本体と、前記扉ポケットの底面に設けられた嵌合部に嵌合することで前記扉ポケットに前記仕切り部本体を保持する仕切り部材嵌合部と、を有し、
前記前扉ポケットの底面に設けられた嵌合部が、貫通穴あるいは止まり穴の複数の嵌合穴であって、前記嵌合穴が少なくとも格子状、千鳥格子状、三角形状、または多角形状に配置されており、
前記仕切り部材嵌合部が前記扉ポケットの底面に設けられた嵌合部に取り付け角度あるいは取り付け箇所を可変に嵌合可能としたことを特徴とする冷蔵庫。
【請求項９】
前記扉ポケットは、前記幅方向端側の底面部に前記仕切り部材の台座部が挿入可能なスリットや切欠きを有し、前記スリットや切欠きに前記仕切り部材の台座部を挿入することで前記仕切り部材を倒して収納するようにしたことを特徴とする請求項１乃至請求項８のいずれかに記載の冷蔵庫。
【請求項１０】
前記扉ポケットが、少なくとも前記扉体内側の側壁に係合され、前記扉体内側の側壁および底面壁で支持され、上方及び後方が開口して収納物を収納し、前記仕切り部材を前記扉体に収納可能なようにしたことを特徴とする請求項１乃至請求項９のいずれかに記載の冷蔵庫。
【請求項１１】
前記貯蔵室に設けられた前記扉ポケットの上面開口側、あるいは前記扉ポケットの底面側を照射する照明装置を前記貯蔵室内の側壁の前面側、あるいは前記貯蔵室内の上面壁の前面側、あるいは前記貯蔵室内の底面壁の前面側に設けたことを特徴とする請求項１乃至請求項１０のいずれかに記載の冷蔵庫。
【請求項１２】
前記貯蔵室内に設けられ、食品などを載置する載置棚と、前記貯蔵室内の側壁の前面側に設けられた貯蔵室内照明装置と、を備え、前記貯蔵室内照明装置にＬＥＤを使用し、前記ＬＥＤと前記載置棚の前縁までの水平方向距離をＬ１、前記貯蔵室内の側壁面間の水平方向距離をＬ２、前記側壁面から前記ＬＥＤまでの水平方向距離をＬ３、前記載置棚の前縁から前記貯蔵室の背面壁までの水平方向距離をＬ４としたとき、前記ＬＥＤが設けられている内側壁面に対する前記ＬＥＤ光軸のなす角度θを
Ｔａｎ−１（（Ｌ２＋Ｌ３）／（Ｌ１＋Ｌ４））＜θ＜９０度
の範囲内に設定するようにしたことを特徴とする請求項１乃至請求項１１のいずれかに記載の冷蔵庫。
【請求項１３】
前記貯蔵室内に設けられ、食品などを載置する載置棚と、前記貯蔵室内の側壁の前面側に設けられた貯蔵室内照明装置と、を備え、貯蔵室内照明装置にＬＥＤを使用し、照明装置（ＬＥＤ）と載置棚の前縁までの水平方向距離をＬ１、前記貯蔵室内の側壁面間の水平方向距離をＬ２、側壁面からＬＥＤまでの水平方向距離をＬ３、としたとき、ＬＥＤが設けられている内側壁面に対するＬＥＤ光軸のなす角度θを
Ｔａｎ−１（（Ｌ２＋Ｌ３）／Ｌ１）＜θ＜９０度
の範囲内に設定するようにしたことを特徴とする請求項１乃至請求項１１のいずれかに記載の冷蔵庫。
【請求項１４】
前記貯蔵室内に設けられ、前記貯蔵室内を照射する貯蔵室内照明装置を備え、前記貯蔵室内照明装置が複数のＬＥＤで構成され、前記複数のＬＥＤのうちの少なくとも１つを前記収納ケースを照射する収納ケース用照明として使用し、前記扉体の開放時に前記収納ケースの上方あるいは下方の少なくとも一方から前記収納ケースを照射するようにしたことを特徴とする請求項１乃至請求項１３のいずれかに記載の冷蔵庫。
【請求項１５】
前記冷蔵室内に設けられ、食品などを載置する載置棚と、前記冷蔵室内の側壁の前面側に設けられた照明装置と、を備え、
前記照明装置にＬＥＤを使用し、前記ＬＥＤと前記載置棚の前縁までの水平方向距離をＬ１、前記冷蔵室内の側壁面間の水平方向距離をＬ２、前記側壁面から前記ＬＥＤまでの水平方向距離をＬ３、としたとき、前記ＬＥＤが設けられている側壁面に対する前記ＬＥＤの光軸のなす角度θを
Ｔａｎ−１（（Ｌ２＋Ｌ３）／Ｌ１）＜θ＜９０度
の範囲内として前記ＬＥＤの光軸が前記載置棚の前縁に当たらないようにして前記冷蔵室内と前記扉ポケットの両方を照射するようにしたことを特徴とする請求項１乃至請求項１１のいずれかに記載の冷蔵庫。
【請求項１６】
前記冷蔵室内に設けられ、食品などを載置する載置棚と、前記冷蔵室内の上面壁に設けられた照明装置と、を備え、
前記照明装置にＬＥＤを使用し、前記ＬＥＤと前記載置棚の前縁までの水平方向距離をＬ１、前記載置棚のうち最下段の載置棚の上面と前記ＬＥＤとの垂直方向距離をＬ２、前記上面壁からＬＥＤまでの垂直方向距離をＬ３、としたとき、前記ＬＥＤが設けられている上壁面に対する前記ＬＥＤの光軸のなす角度θを
Ｔａｎ−１（（Ｌ２＋Ｌ３）／Ｌ１）＜θ＜９０度
の範囲内として前記ＬＥＤの光軸が前記載置棚の前縁に当たらないようにして前記冷蔵室内と前記扉ポケットの両方を照射するようにしたことを特徴とする請求項１乃至請求項１１のいずれかに記載の冷蔵庫。
【請求項１７】
前記扉体は、左扉ポケットを有する左扉体および右扉ポケットを有する右扉体から構成され、前記仕切り部材が前記左扉ポケット及び前記右扉ポケットに取り付け可能としたことを特徴とする請求項１乃至請求項１６のいずれかに記載の冷蔵庫。
【発明の詳細な説明】
【技術分野】
【０００１】
この発明は、冷蔵庫の扉ポケットや収納ケースなどに関するものである。
【背景技術】
【０００２】
従来の冷蔵庫では、扉ポケットや収納ケースの収納整理性改善のために、扉のポケットや収納ケースに仕切りを設ける場合があり、扉ポケットや収納ケースに左右方向（幅方向）あるいは奥行き方向のいずれか一方に仕切る可動仕切りを設けている。（例えば、特許文献１、特許文献２参照。）また、収納ケースにベルト式可動サポータを設けたりしている。（例えば、特許文献３参照。）また、チューブ容器に対しては別途チューブ収納容器を設けたりしている。（特許文献４参照）また、従来の冷蔵庫では、扉ポケットを照射することを考えていなかった。
【先行技術文献】
【特許文献】
【０００３】
【特許文献１】特開２０００−９３７８号公報
【特許文献２】特開２００４−３４０５４５号公報
【特許文献３】特開２００３−３５４８９号公報
【特許文献４】特開２００２−３４７７９４号公報
【発明の概要】
【発明が解決しようとする課題】
【０００４】
特許文献１に記載の従来の冷蔵庫の扉ポケットでは、扉ポケットや収納ケース内にクランク状の可動仕切りを形成しているが、この仕切りは左右方向（幅方向）の一方向にしか可動できず、また、奥行方向など他方向については仕切りの位置が固定であり可動できないため、収納物の種類や大きさや量によっては無駄なスペースが発生するという問題があった。また、特許文献２に記載の従来の冷蔵庫は、ケース内部に仕切りを兼ねた小物収納ケースが幅方向、あるいは奥行き方向のいずれか一方に移動できるが、他方向には移動できないため、収納物の種類や大きさや量によっては無駄なスペースが発生するという問題があった。
【０００５】
また、特許文献３に記載の従来の冷蔵庫では、収納容器内にベルト式可変サポータを使用して左右方向に可動収納領域を形成しているが、この場合も奥行き方向には可動できず、また、可動サポータの幅の分だけ収納容積が減少するし、また、可動サポータとベルトが必用であるため構造が複雑であり、作業性も悪く、コストアップになっていた。また、特許文献４に記載の従来の冷蔵庫では、チューブ収納容器を設けているためチューブ類は
収納できるが、そのために別途チューブ収納容器を設ける必要があり、コストアップになっていた。また、チューブ類しか収納できないため、他の食品を収納できず、チューブ類を収納しない場合には無駄となっていた。
【０００６】
また、夜間など冷蔵庫の周囲が薄暗い場合には、庫内照明は主に庫内を照射する目的のため、扉ポケット内の収納物や仕切りが見えにくかった。また、夜間など冷蔵庫の周囲が薄暗い場合には、扉ポケット内の仕切りの配置変更などを行う場合には室内が薄暗いために別途室内照明を点灯させるなどの対応が必要であり、電気代がかかっていた。
【０００７】
この発明は、上記のよう課題を解決するためになされたもので、冷蔵庫の扉ポケットや貯蔵室内の収納ケース内に複数方向に取り付け可能な冷蔵庫を提供することを目的とする。また、構造が簡単で可動可能な仕切りを備えた冷蔵庫を提供することを目的とする。また、冷蔵庫の扉ポケットや貯蔵室や収納ケース内に収納物の種類や量にもある程度柔軟に対応することができる可動可能な仕切りを供えた冷蔵庫を提供することを目的とする。
【０００８】
また、仕切りを使用しない場合は仕切りを収納可能な冷蔵庫を提供することを目的とする。また、扉ポケットを照射する照明手段を設けることを目的とする。また、扉ポケット内を照射する照明を庫内照明との兼用で効率よく実施可能で、しかも省エネルギーな冷蔵庫を提供することを目的とする。
【課題を解決するための手段】
【０００９】
この発明の冷蔵庫は、冷蔵庫本体に設けられ、収納物を冷却する貯蔵室と、前記貯蔵室を開閉する扉体と、前記扉体の内側に設けられ、前記扉体の幅方向に側壁の一部が突出した幅広部を有する扉ポケットと、少なくとも一部が前記幅広部に収められる形状であり、前記扉ポケット内を仕切る仕切り部材と、を備え、前記仕切り部材は、前記扉ポケット内を仕切る仕切り部本体と、前記扉ポケットの底面に設けられた嵌合部に嵌合することで前記扉ポケットに前記仕切り部本体を保持する仕切り部材嵌合部と、を有し、前記仕切り部材嵌合部が前記扉ポケットの底面に設けられた嵌合部に取り付け角度あるいは取り付け箇所を可変に嵌合されることで、前記扉ポケットの幅方向を０度、前記扉ポケットの奥行き方向を９０度とする時、前記仕切り部本体の取り付け角度を０度、略９０度の方向に可変に取り付け可能としたものである。
【発明の効果】
【００１０】
本発明の冷蔵庫は、扉ポケットに収納する収納物の大きさや形状によって仕切り部材を自由に配置できるので、無駄なスペースが発生せず効率よく収納でき、ユーザにとって使い勝手の良い扉ポケット、冷蔵庫が得られる。また、扉ポケットの底面や側壁などに設けた穴などの嵌合部の数や配置箇所に合わせて仕切部材の設置箇所をユーザが適宜設定することができるので、扉ポケット内の仕切り部材の配置の自由度が向上する。
【００１１】
また、本発明の冷蔵庫は、仕切り部材を嵌合するだけの簡単の構成でありながら取付角度や取付場所を変更できるので、収納する食品の形状や大きさを選ばない使い勝手の良い冷蔵庫を提供できる。また、この発明の冷蔵庫は、仕切り部材が扉ポケットに嵌合などにより固定や保持されるようにしているので、仕切り部材が収納物の影響で別の場所に移動してしまって仕切りの役割を果たさないなどの不具合を防止することができる。
【図面の簡単な説明】
【００１２】
【図１】本発明の実施の形態１を示す冷蔵庫の正面図である。
【図２】本発明の実施の形態１を示す冷蔵庫の側断面図である。
【図３】本発明の実施の形態１を表す冷蔵庫１の制御基板のブロック図である。
【図４】本発明の実施の形態１を表す冷蔵庫の扉ポケット近傍の要部斜視図である。
【図５】本発明の実施の形態１を表す冷蔵庫の扉ポケットの底面に設けられた嵌合穴の配置について説明した図である。
【図６】本発明の実施の形態１を表す冷蔵庫の扉ポケットに仕切り部材を設置した状態を説明するための要部詳細図である。
【図７】本発明の実施の形態１を表す冷蔵庫の別の扉ポケット近傍の要部斜視図である。
【図８】本発明の本実施の形態１を表す冷蔵庫の仕切り部材の構造を説明するための図である。
【図９】本発明の本実施の形態１を表す冷蔵庫の仕切り部材の構造を説明するための図である。
【図１０】本発明の本実施の形態１を表す冷蔵庫の仕切り部材の構造を説明するための図である。
【図１１】本発明の本実施の形態１を表す冷蔵庫の仕切り部材の構造を説明するための図である。
【図１２】本発明の実施の形態１を表す冷蔵庫の扉ポケットを上から見た図である。
【図１３】本発明の実施の形態１を表す冷蔵庫の扉ポケットと仕切り部材を説明するための図である。
【図１４】本発明の実施の形態１を表す冷蔵庫の扉ポケットに仕切り部材を収納した図である。
【図１５】本発明の実施の形態１を表す冷蔵庫の扉ポケットと仕切り部材を説明するための図である。
【図１６】本発明の実施の形態１を表す冷蔵庫の扉ポケットに仕切り部材を収納した図である。
【図１７】本発明の実施の形態１における冷蔵庫１の概略側断面図である。
【図１８】本発明の実施の形態１における冷蔵庫の冷蔵室の正面図である。
【図１９】一般的なＬＥＤの発光特性を表す図である。
【図２０】本発明の実施の形態１における冷蔵庫の冷蔵室を上面からみた図である。
【図２１】本発明の実施の形態１における別の冷蔵庫の冷蔵室の上面図である。
【図２２】本発明の実施の形態１における冷蔵庫１の概略側断面図である。
【発明を実施するための形態】
【００１３】
実施の形態１．
（冷蔵庫）
図１は、本発明の実施の形態１を示す冷蔵庫の正面図である。図２は、本発明の実施の形態１を示す冷蔵庫の側断面図である。図において、冷蔵庫本体１は最上段に観音開き式の冷蔵室２を備えている。冷蔵室２の下には製氷室３及び切替室４が左右に配設されている。冷蔵庫本体１の最下段には冷凍室６を備え、冷凍室６の上には野菜室５を備えている。この野菜室５は、左右に配設された製氷室３と切替室４の下方で、冷凍室６の上方に設けられている。（この野菜室５は、左右に配設された製氷室３と切替室４の下方で、冷凍室６の上方に設けられている。）また、冷蔵室２内の下部にはチルド温度帯に制御されるチルド室が設けられている。
【００１４】
もちろん、各室の配置は本実施の形態を制限するものではなく、上段に設けられた冷蔵室２の下に製氷室３及び切替室４を左右に並列に配設し、これら左右に並列に配設された製氷室３及び切替室４の下方で、かつ下段に設けられた野菜室５の上部に冷凍室６を配設する、いわゆる左右に並列に配設された製氷室３及び切替室４と野菜室との間に冷凍室６を配設するミッドフリーザータイプの方が低温室が近接するため断熱材が不要であり、また、熱漏れも少ないので省エネルギーであり良い。
【００１５】
冷蔵室２の正面側開口部は、自在に開放、閉塞することができる観音開き式の冷蔵室扉７が設けられており、この冷蔵室扉７は、冷蔵室扉左７Ａ、冷蔵室扉右７Ｂの２つにより観音式扉を構成している。そして冷蔵室扉左７Ａには複数の左扉ポケット２００（左扉ポケット上２００ａ、左扉ポケット中２００ｂ、左扉ポケット下２００ｃ）が設けられ、冷蔵室扉右７Ｂの庫内側には複数の右扉ポケット２１０（右扉ポケット上２１０ａ、右扉ポケット中２１０ｂ、右扉ポケット下２１０ｃ）が設けられている。すなわち、冷蔵室扉左７Ａの庫内側に設けられた扉ポケット２００は、上から左扉ポケット上２００ａ、左扉ポケット中２００ｂ、左扉ポケット下２００ｃの順に設けられ、冷蔵室扉右７Ｂの庫内側に設けられた扉ポケット２１０は、上から右扉ポケット上２１０ａ、右扉ポケット中２１０ｂ、右扉ポケット下２１０ｃの順に設けられている。もちろん、観音式扉ではなく、１枚式の回転式扉でもよい。
【００１６】
貯蔵室である製氷室３、切替室４、野菜室５、冷凍室６には、製氷室３の開口部を自在に開口・閉塞することができる引出式の製氷室扉８、切替室４の開口部を自在に開放・閉塞することができる引出式の切替室扉９、野菜室５の開口部を自在に開放・閉塞することができる引出式の野菜室扉１０、冷凍室６の開口部を自在に開放・閉塞することができる引出式の冷凍室扉１１がそれぞれ設けられている。また、貯蔵室扉である製氷室扉８、切替室扉９、野菜室扉１０、冷凍室扉１１の庫内側には、それぞれ樹脂成形などによる収納ケース（貯氷ケース８ａ、切替室ケース９ａ、野菜室ケース１０ａ、冷凍室ケース１１ａ、１１ｂ）が設けられ、また、冷蔵室２内の下部には、収納ケースであるチルド室ケース２ａが配設されている。
【００１７】
また、貯蔵室である冷蔵室２の左右の扉のいずれかには、貯蔵室内の温度設定などを行う操作スイッチや庫内温度や設定温度などの温度情報の表示を行う表示パネル６０が設けられており、操作スイッチの操作情報や液晶表示部の表示情報や貯蔵室内の温度情報などが冷蔵庫本体背面上部（冷蔵室背面）に設けられたマイコンなどの制御装置３０によって制御される。
【００１８】
冷蔵庫本体１の背面最下部に設けられている機械室１Ａには圧縮機１２が配されている。冷蔵庫本体１は、冷凍サイクルを備えており、圧縮機１２は冷凍サイクルを構成する１部品であり、冷凍サイクル内の冷媒を圧縮する作用を有する。圧縮機１２で圧縮された冷媒は凝縮器（図示せず）において凝縮される。凝縮された状態の冷媒は減圧装置である毛細管（図示せず）や膨張弁において減圧される。冷却器１３は、冷蔵庫の冷凍サイクルを構成する１部品であり、減圧された冷媒は冷却器１３において蒸発され、この蒸発時の吸熱作用により冷却器１３周辺の気体は冷却される。冷気循環用ファン１４は、冷却器１３周辺で冷却された冷気を冷蔵庫本体１の各室（冷蔵室２、製氷室３、切替室４、野菜室５、冷凍室６）へと送風するためのものである。風量調整手段である切替室用ダンパ１５は、冷気循環用ファン１４により切替室４に送風される冷気の冷気量を調整し、切替室４内の温度を所定温度に制御したり、切替室４の設定温度を切り替えたりするためのものである。冷却器１３で冷却された冷気が切替室冷却用風路１６を通って、切替室４内に送風される。また、この切替室冷却用風路１６は、切替室用ダンパ１５の下流に配されている。
【００１９】
切替室４は貯蔵室内の温度を冷凍温度帯（−１７℃以下）から野菜室温度帯（３〜１０℃）までの間で複数の段階から選択可能な部屋（貯蔵室）であり、冷蔵庫１の冷蔵室扉７Ａ、７Ｂなどに設置した操作パネル６０を操作することで貯蔵室内の温度の選択や切替を行う。（操作パネル６０には、冷蔵室、冷凍室、切替室などの貯蔵室を選択する貯蔵室選択スイッチ６０ａ、切替室などの貯蔵室の温度帯（冷蔵、冷凍、チルド、ソフトフリージングなど）を切り替えたり、急冷や強・中・弱などを切り替える温度帯切替スイッチ６０ｂ、過冷却冷凍（瞬冷凍ともいう）選択スイッチ６０ｃ、製氷に関して、透明氷、通常、急速、停止などを選択する製氷モード選択スイッチ６０ｄを備えている。）切替室４の奥側壁面には、切替室４内の空気温度を検知するための第１の温度検出手段である切替室サーミスタ１９を設置し、切替室４の天上面（中央部、前面部、あるいは後面部など）には貯蔵室である切替室４内に投入された貯蔵物の表面温度を直接的に検出するための第２の温度検出手段であるサーモパイル２２（あるいは赤外線センサ）を設置している。冷却器室から切替室４に冷気を送る風路には、風量の制御や風路を遮へいして冷気の流入を阻止することができる風量調整装置である切替室ダンパ１５を設け、切替室サーミスタ１９の検出温度（あるいはサーモパイル２２の検出温度）により切替室ダンパ１５を開・閉することで、切替室の温度を選択された温度帯に調整したり、設定された温度範囲内に入るように制御装置３０にて制御される。
【００２０】
図３は、本発明の実施の形態１を表す冷蔵庫１の制御基板３０のブロック図である。制御基板３０にはマイクロコンピュータ（以降マイコン）３１を搭載し、予め記憶しているプログラムにより、冷蔵庫１の各貯蔵室の温度制御や圧縮機１２や庫内ファン１４の回転数制御やダンパ１５の開閉制御などを行っている。第２の温度検出手段であるサーモパイル２２の検出信号はマイコン３１に入力され、マイコン３１内で演算処理されて食品などの表面温度に換算された後、急速冷冷凍制御や過冷却冷凍制御など所定の温度制御を行う。また、第１の温度検出手段であるサーミスタ１９の検出温度は、所定値と比較して温度判定を行い、所定値の温度範囲内に入るように制御を行う。また、制御装置３０は冷蔵室扉７Ａや７Ｂに設けられた表示パネル（操作パネル）６０に各貯蔵室の設定温度や食品（表面）温度などを表示する。
【００２１】
（扉ポケット、仕切り部材）
図４は、本発明の実施の形態１における冷蔵庫の収納ケースである扉ポケット近傍の要部斜視図、図５は扉ポケットの底面に設けられた嵌合穴の配置について説明した図、図６は本発明の実施の形態１における冷蔵庫の扉ポケットに仕切り部材を設置した状態を説明するための要部詳細図、図７は本発明の実施の形態１における冷蔵庫の別の扉ポケット近傍の要部斜視図である。
【００２２】
図４において、冷蔵庫扉７（７ａ、７ｂ）の庫内側に設けられている収納ケースである扉ポケット２００、２１０は、側壁の一部が扉の幅方向に対して所定幅で突出した幅広部２３０を有しており、底面部２４０には複数の仕切り部材４００を取り付けるための取付穴（嵌合穴部、嵌合凹部）２５０が複数設けられている。扉ポケット２００、２１０は、扉ポケット２００、２１０の冷蔵室扉側の配置されるポケット固定部２３５が冷蔵室扉７の庫内側に設けられた土手部７１の内側に係合・保持される。すなわち、扉ポケット２００、２１０のポケット固定部２３５に設けられた第１の係合部２３５ａ、２３５ｂが冷蔵室扉７の土手部７１の内側に設けられた第２の係合部７１ａ、７１ｂに係合することで扉ポケット２００、２１０は冷蔵室扉７に保持・固定される。ここで、幅広部２３０の幅はポケット固定部２３５の幅よりも大きく形成されているので、収納容積を大きくできる。また、幅広部２３０は、ポケット固定部２３５に対して土手部７１の厚み分と同等か厚み分以下だけ幅広に形成されているので、冷蔵庫扉７の開閉時に邪魔にならない。すなわち、扉ポケット２００、２１０の幅広部２３０の外側の幅寸法が、土手部７１の外側の幅寸法と略同等か、あるいは土手部７１の外側の幅寸法よりも小さく設定されている。
【００２３】
扉ポケット２００、２１０が、少なくとも扉体２００、２１０の内側の側壁（例えば土手部７１の側壁７５）に係合され、扉体２００、２１０の内側の側壁（例えば土手部７１の側壁７５）および底面壁（例えば土手部７１の底面壁７６）で支持され、上方及び後方が開口して収納物を収納可能な構成としている。そのため、扉ポケット２００、２１０は、側壁の一部を構成するポケット固定部２３５および底面壁を構成する底面部２４０が扉体７の内側下部、内側側部に支持される構成であり、扉体７の内側側壁（土手部７１の側壁内側７５）、内側底面壁（土手部７１の底面壁７６）が扉ポケット２００、２１０の一部を構成する構造となっており、扉体７の土手部７１を利用して収納容積を大きくするようにしている。
【００２４】
また、仕切り部材４００は、仕切りの役割を果たす板状の仕切り部本体４１０と、仕切部本体４１０が立設するように設けられた板状の台座部４２０とから構成され、仕切部本体４１０は、板状であり側面部４８０を有する。また、仕切部本体４１０は略矩形状（四角形状）をしており、台座部４２０は略円形状をしている。台座部４２０には複数の突出部（嵌合突部、嵌合凸部）４３０が設けられており、台座部４２０の突出部（嵌合突部、嵌合凸部）４３０が扉ポケット２００、２１０の底面部２４０に設けられた取付穴（嵌合穴部、嵌合凹部）２５０に着脱可能に嵌合することで、左扉ポケット２００、右扉ポケット２１０に仕切り部材４００を取り付けることができる。ここで、底面部２４０に突出部（嵌合突部、嵌合凸部）を設け、台座部４２０に取付穴（嵌合穴部、嵌合凹部）を設けても良い。
【００２５】
収納ケースである扉ポケット２００、２１０の底面部２４０に設けられた複数の取付穴２５０（嵌合穴部、嵌合凹部）について説明する。取付穴（嵌合穴部、嵌合凹部）２５０は、図５に示すように底面部２４０の全面あるいは少なくとも一部分に設けられている。
【００２６】
ここで、取付穴２５０の配置は、図５（ａ）に示すように複数の取付穴２５０ａが所定間隔Ｌ１、Ｌ２で格子状に設けられている。所定間隔Ｌ１、Ｌ２は、たとえば略等ピッチ（略等間隔）Ｌの略正方形状の格子状とした方が１つの仕切り部材４００で取付角度を略９０度変更できるので、仕切り部材４００の底面部２４０への取付の自由度が大きくできる。
【００２７】
また、図５（ｂ）に示すように取付穴２５０ａが所定間隔Ｌ１、Ｌ２で格子状に設けられた第１の格子状配置Ａと、取付穴２５０ｂが所定間隔Ｌ３、Ｌ４で格子状に設けられた第２の格子状配置Ｂとを所定長さＸ、Ｙだけずらして千鳥状配置にしても良い。このとき、所定間隔Ｌ１、Ｌ２、Ｌ３、Ｌ４は、それぞれ異なっても良いが、略同等長さＬであった方が、仕切り部材４００の取り付けの自由度が大きくなるので良い。また、所定長さＸ、Ｙも異なっても良いし、略同等でも良い。ここで、所定間隔Ｌ１、Ｌ２、Ｌ３、Ｌ４は略同等長さＬとした方が仕切り部材４００の取り付け自由度が大きくなり、また、所定長さＸ、Ｙは所定長さＬの約１／２（約半分）とした方が仕切り部材４００の取り付け自由度が大きくなり、ユーザの利便性が向上する。
【００２８】
取付穴２５０の配列は、図５（ａ）のように隣接する取付穴２５０ａ間のピッチ（距離）がＬ１、Ｌ２の格子状配置や図５（ｂ）のように第１の格子状配置Ａと第２の格子状配置Ｂがずれた状態で組み合わされた千鳥格子状配置でもよいが、図５（ｃ）のようにたとえば隣接する３つの取付穴２５０ａ間の距離がＬ５、Ｌ６、Ｌ７である三角形状配置でも良い（３つの取付穴２５０ａの成す角度は、それぞれθ１、θ２、θ３であり、３つとも同じでも、２つ同じでも、３つとも異なっていても良い。）。ここで、距離Ｌ５、Ｌ６、Ｌ７が、たとえばすべて略等ピッチ（略等間隔）Ｌである略正三角形状配置にしても良く、この略正三角形状配置では、複数の取付穴２５０ａが略正三角形状に配置される。この場合、図５（ｃ）に示すように三角形を形成する３つの取付穴２５０ａの成す角度θ１、θ２、θ３がすべて略６０度の略正三角形状となる。
【００２９】
ここで、取付穴（嵌合穴部）２５０の全てが格子状や千鳥格子状や略三角形状配置である必用はなく、取付穴（嵌合穴部）２５０は、少なくとも一部が格子状や千鳥格子状や略三角形状に配置されていれば良い。略正方形状配置（等間隔の格子状配置）の場合には、仕切り部４１０を略９０度ごとの角度で変更可能であり、略三角形状配置の場合には、仕切り部４１０を略６０度ごとの角度で変更が可能になる。また、格子状配置や三角形状配置や他の配置（たとえば多角形状配置（五角形状、六角形状、八角形状など））を単独使用、複数使用、あるいは組み合わせ使用とすることで仕切り部材４００の仕切り部本体４１０の取り付け角度を複数の方向に細かく変更可能となり、ユーザの使い勝手が更に向上する。この場合、仕切り部材４００を共通化した方が良いので、取付穴２５０ａ間や取付穴２５０ｂ間の距離Ｌ１〜Ｌ７は、可能な限り所定長さＬに合わせた方が良い。また、正多角形配置の場合には、正多角形の中心にも取付穴（嵌合穴部、嵌合凹部）を設けた方が、仕切部材４００の設置の自由度が向上する。
【００３０】
したがって、取付穴２５０の数や配置は、仕切り部材４００の仕切り部４１０の取付角度を複数の角度で変更可能なように格子状配置と三角形状配置や千鳥格子状配置を組み合わせるようにすれば良い。
【００３１】
次に仕切り部材４００の台座部４２０に設けられる突出部（嵌合突部、嵌合凸部）４３０について説明する。仕切り部材４００の台座部４２０に設けられる突出部（嵌合突部、嵌合凸部）４３０は、扉ポケット２００、２１０の底面部２４０に設けられる取付穴（嵌合穴部、嵌合凹部）２５０に嵌合する形状であり、少なくとも２つ設けられ、取付穴２５０に突出部４３０が嵌合した状態で仕切り部材４００の仕切り部４１０が扉ポケット２００、２１０の仕切りとして使用可能なように固定され、位置決めが行われる。ここで、隣接する突出部４３０間の距離ＬＬは、取付穴２５０ａ間や取付穴２５０ｂ間の距離Ｌ１〜Ｌ７のいづれかの長さであれば良く、取付穴２５０ａ間や取付穴２５０ｂ間の距離がともに所定距離Ｌの場合には、隣接する突出部（嵌合突部）４３０間の距離ＬＬも所定長さＬにすれば良い。
【００３２】
ここで、取付穴２５０の配置が略正方形状の格子状の場合は、着脱可能な仕切り部材４００を約９０度回転させて取り付けることで、仕切り部である仕切り部本体４１０が約９０度回転した状態で取り付けられる。したがって、仕切り部の向き（方向）を０度、約９０度（、約１８０度）の２方向に可変できる。
【００３３】
また、取付穴２５０の配置が略正三角形状の場合は、着脱可能な仕切り部材４００を約６０度回転させて取り付けることで、仕切り部本体４１０が約６０度回転した方向に取り付けることができる。したがって、この場合には、仕切り部の向き（方向）を０度、約６０度、約１２０度（、約１８０度）の３方向に可変できる。したがって、取付穴２５０の配置を適宜設定することで、着脱可能な仕切り部材４００の仕切り部４１０の取付角度（仕切り部本体４１０の仕切り角度、方向）を所定角度で変更することが可能となり、また、仕切り部材４００の取付場所を変更すれば仕切り部本体４１０によって仕切られる場所も変更できる。よって、図６に示すように収納する食品などの大きさや種類によって、仕切り部材４００の取付場所や取付角度を任意に変更できるようになるため、簡単な構成でありながら、扉ポケットの使い勝っての良い冷蔵庫が得られる。
【００３４】
以上のように構成された冷蔵庫１においては、図６において、仕切り部材４００の仕切り部本体４１０の取り付け角度を変更した状態を示している。図６において、収納ケースである扉ポケット２００、２１０の底面部２４０に設けられた取付穴（嵌合穴部、嵌合凹部）２５０に仕切り部材４００（第１の仕切り部材４００ａ、第２の仕切り部材４００ｂ、第３の仕切り部材４００ｃ、第４の仕切り部材４００ｄ）の台座部４２０（４２０ａ、４２０ｂ、４２０ｃ、４２０ｄ）に設けられた突出部（嵌合突部、嵌合凸部）４３０が嵌合することで仕切り部材４００（第１の仕切り部４１０ａ、第２の仕切り部４１０ｂ、第３の仕切り部４１０ｃ、第４の仕切り部４１０ｄ）が扉ポケット２００、２１０の底面部２４０に保持あるいは固定される。
【００３５】
ここで、図６において、第１の仕切り部材４００ａの台座部４２０ａに設けられた仕切り部４１０ａの取付角度を０度とすれば、第２の仕切り部材４００ｂの台座部４２０ｂに設けられた仕切り部４１０ｂの取付角度は第１の仕切り部材４００ａの仕切り部４１０ａに対して略６０度、第３の仕切り部材４００ｃの台座部４２０ｃに設けられた仕切り部４１０ｃの取付角度は第１の仕切り部材４００ａの仕切り部４１０ａに対して略９０度、第４の仕切り部材４００ｄの台座部４２０ｄに設けられた仕切り部４１０ｄの取付角度は第１の仕切り部材４００ａの仕切り部４１０ａに対して略１２０度である。
【００３６】
すなわち、図６に示す例では、第１の仕切り部材４００ａの仕切り部４１０ａと第２の仕切り部材４００ｂの仕切り部４１０ｂとのなす角θａは約６０度、第２の仕切り部材４００ｂの仕切り部４１０ｂと第３の仕切り部材４００ｃの仕切り部４１０ｃとのなす角θｂは約３０度、第３の仕切り部材４００ｃの仕切り部４１０ｃと第４の仕切り部材４００ｄの仕切り部４１０ｄとのなす角θｃは約３０度の場合を示している。
【００３７】
よって、第１の仕切り部材４００ａの仕切り部４１０ａ、第２の仕切り部材４００ｂの台座部４２０ｂに設けられた仕切り部４１０ｂ、第３の仕切り部材４００ｃの台座部４２０ｃに設けられた仕切り部４１０ｃは、底面部２４０に設ける取付穴（嵌合穴部、嵌合凹部）２５０、２５０ａの配置を適宜設定することで、仕切り部４１０（たとえば４１０ａ、４１０ｂ、４１０ｃ、４１０ｄ）をユーザの好みの角度（たとえばθａ、θｂ、θｃの角度）だけずらして設置することが可能となるので、食品の形状や大きさに合わせて取り付け角度を自由に可変できる。
【００３８】
ここで、本実施の形態では、冷蔵室２の扉ポケット２００、２１０について説明したが、冷蔵室２や製氷室３や切替室４や野菜室５や冷凍室６などの貯蔵室内の収納ケース（チルド室ケース２ａ、貯氷ケース８ａ、切替室ケース９ａ、野菜室ケース１０ａ、冷凍室ケース１１ａ、１１ｂ）についても同様に適用可能である。
【００３９】
したがって、貯蔵室内の収納ケース（扉ポケット２００、２１０、あるいはチルド室ケース２ａ、貯氷ケース８ａ、切替室ケース９ａ、野菜室ケース１０ａ、冷凍室ケース１１ａ、１１ｂ）の底面部２４０に設けられた嵌合穴部２５０に仕切り部材４００の台座部４２０に設けられた嵌合突部４３０を着脱可能に食品の形状や大きさに合わせて所定の角度や長さや幅で取り付けることができるので、無駄なスペースが発生しにくく、ユーザにとって使い勝っての良い扉ポケットや収納ケース、および冷蔵庫を提供できる。
【００４０】
ここで、図７に示すように収納ケースである扉ポケット２００、２１０（あるいは貯蔵室内の収納ケース（チルド室ケース２ａ、貯氷ケース８ａ、切替室ケース９ａ、野菜室ケース１０ａ、冷凍室ケース１１ａ、１１ｂ））の底面部２４０に嵌合突部を設け、仕切り部材４００の台座部４２０に嵌合穴部を設けても同様の効果が得られる。
【００４１】
図７において、冷蔵庫扉７の庫内側に設けられている収納ケースである扉ポケット（左扉ポケット２０１、右扉ポケット２１１）は、側壁の一部が扉の幅方向に対して一部突出した幅広部２３０を有しており、底面部２４０には複数の仕切り部材４０１を取り付けるための突出部（嵌合突部、嵌合凸部）２５１が複数設けられている。また、仕切り部材４０１は仕切り部である仕切り部本体４１１と台座部４２１とから構成され、台座部４２１には複数の取付穴部（嵌合穴部、嵌合凹部）４３１が設けられており、台座部４２１の取付穴部（嵌合穴部、嵌合凹部）４３１が扉ポケット２０１、２１１の底面部２４１に設けられた突出部２５１（嵌合突部、嵌合凸部）２５１に着脱可能に嵌合することで、左扉ポケット２０１、右扉ポケット２１１に仕切り部材４０１を取り付けることができる。
【００４２】
この場合も図６と同様に、底面部２４１に設けられた突出部（嵌合突部、嵌合凸部）２５１は、所定の間隔（たとえば突出部２５１間の距離がＬ１、Ｌ２、Ｌ３、Ｌ４、Ｌ５、Ｌ６、Ｌ７）で、格子状や三角形状や千鳥格子状や略西方形状や略正三角形状に単独で配置されたり、また、各配置が組み合わされて配置されたりしている。
【００４３】
次に仕切り部材４０１の台座部４２１に設けられる取付穴（嵌合穴部、嵌合凹部）４３１について説明する。仕切り部材４０１の台座部４２１に設けられる取付穴４３１は、扉ポケット２０１、２１１の底面部２４０に設けられる突出部（嵌合突部、嵌合凸部）２５１に嵌合する形状であり、少なくとも２つ設けられ、突出部２５１に取付穴４３１が嵌合した状態で仕切り部材４０１の仕切り部本体４１１が扉ポケット２０１、２１１の仕切りとして使用可能なように固定され、位置決めが行われる。ここで、突出部２５１間の距離については、図５に示す取付穴２５０間の距離（たとえば突出部２５１ａ間や突出部（嵌合突部）２５１ｂ間の距離Ｌ１〜Ｌ７等）と同等の配置とすれば良い。
【００４４】
また、取付穴（嵌合穴部、嵌合凹部）４３１間の距離ＬＬは、突出部（嵌合突部、嵌合凸部）２５１ａ間や突出部（嵌合突部、嵌合凸部）２５１ｂ間の距離Ｌ１〜Ｌ７のいずれかの長さであれば良く、突出部２５１ａ間や突出部２５１ｂ間の距離が所定距離Ｌの場合には、隣接する取付穴４３１間の距離ＬＬも所定長さＬにすれば良い。
【００４５】
以上は、仕切部材４０１の扉ポケット２０１、２１１への適用について説明したが、冷蔵室２や製氷室３や切替室４や野菜室５や冷凍室６などの貯蔵室内の収納ケース（チルド室ケース２ａ、貯氷ケース８ａ、切替室ケース９ａ、野菜室ケース１０ａ、冷凍室ケース１１ａ、１１ｂ）についても同様に適用可能である。
【００４６】
本実施の形態では、以上のように構成しているので、貯蔵室内の収納ケース（扉ポケット２００、２１０、２０１、２１１、あるいはチルド室ケース２ａ、貯氷ケース８ａ、切替室ケース９ａ、野菜室ケース１０ａ、冷凍室ケース１１ａ、１１ｂ）の底面部２４０、２４１に設けられた第１の嵌合部（たとえば嵌合穴部２５０あるいは嵌合突部２５１）に仕切り部材４００、４０１の台座部４２０、４２１に設けられた第２の嵌合部（たとえば嵌合突部４３０あるいは嵌合穴部４３１）を食品の形状や大きさに合わせて所定の角度や長さや幅で着脱可能に取り付けることができるので、扉ポケット内に無駄なスペースが発生しにくく、ユーザにとって使い勝っての良い扉ポケットや収納ケース、および冷蔵庫を提供できる。
【００４７】
また、収納ケースである扉ポケット２００、２１０、２０１、２１１に設けられた第１の嵌合部（たとえば嵌合穴部２５０あるいは嵌合突部２５１）と仕切り部材４００、４０１に設けられた第２の嵌合部（たとえば嵌合突部４３０あるいは嵌合穴部４３１）との嵌めあい構造により仕切部４００、４０１を収納ケースである扉ポケット２００、２１０に固定するようにしているので、仕切り部材４００、４０１の仕切り部である仕切り部本体４１０、４１１の設置位置を使用者の使い方にあわせて容易に取付可能で、しかも取り外すことも容易にできる。ここで、第１の嵌合部、あるいは第２の嵌合部が取付穴（嵌合穴部、嵌合凹部）の場合には、穴形状でなくても良く、凹部形状であっても良い。取付穴が貫通穴の場合には、扉ポケットや収納ケースにごみ等が溜まりにくくなる清掃が容易となり、また、取付穴が凹部形状（留まり穴形状）の場合には、ごみ等が冷蔵庫扉ポケットの下部にこぼれて落下することがなく、庫内の清掃が容易になる。
【００４８】
（仕切り部材の他の構成）
ここで、仕切り部材４００、４０１を２個以上で並べて構成して、連続した仕切り構造としても良いが、図８〜図１１に示すようにスライド構造（たとえば仕切部本体から別の仕切部がスライドして延出する構成）としてもよい。
【００４９】
図８、図９、図１０、図１１は本実施の形態を表す仕切り部材の構造を説明するための図である。図８において、仕切り部材４０３は板状であって略矩形状の仕切り部本体４１３と板状であって略円形の台座部４２３とから構成され、仕切り部本体４１３には仕切り部本体４１３の長さ方向にスライド可能な第１の仕切り部である第１のスライド仕切り部４５１と第２のスライド仕切り部４５２がスライド可能に内部に収納されている。第１のスライド仕切り部４５１と第２のスライド仕切り部４５２は、仕切部本体４１３に対して仕切部本体４１３の長さ方向反対側にスライドして延出可能な構成となっている。すなわち、たとえば仕切部本体４１３に対して第１のスライド仕切部４５１が左側にスライドして延出可能とすれば、第２のスライド仕切部４５２は仕切部本体４１３に対して右側にスライドして延出可能となっている。第１のスライド仕切り部４５１と第２のスライド仕切り部４５２は両方設ける必要がなく、どちらか一方を設ければ良い。
【００５０】
また、第１のスライド仕切り部４５１と第２のスライド仕切り部４５２を仕切り部本体４１３に収納する場合、第１のスライド仕切り部４５１内に第２のスライド仕切り部４５２がスライド可能に収納され、仕切り部本体４１３内に第１のスライド仕切り部４５１をスライド可能に収納しても良いし、仕切り部本体４１３内に第１のスライド仕切り部４５１と第２のスライド仕切り部４５２が重なるように収納しても良い。
【００５１】
このように構成すると、仕切り部材４０３は仕切り部本体４１３より第１のスライド仕切り部４５１と第２のスライド仕切り部４５２をスライドして引っ張り出すことで、仕切り部材４０３の仕切り部本体４１３の長さを長くできるので、長さの長い１つの仕切り部材として使用できる。また、仕切り部材４０３は第１のスライド仕切り部４５１と第２のスライド仕切り部４５２を収納すると仕切り部材４０３は仕切り部本体４１３の長さと略同等程度まで小さくコンパクトにできるので、使用しない時は邪魔にならずに収納でき、しかも、仕切りとして使用する時には仕切り部材４０３の全体の長さを適宜変更することができる。本実施の形態の仕切り部材は、収納ケース（たとえば扉ポケット２００、２１０など）の奥行方向だけでなく、長手方向にも仕切り長さを可変可能であり、収納物の大きさや形状などに応じて適宜、仕切長さを可変にできるので、長さの長い収納物であっても対応できる。したがって、収納物を収納する場合に使い勝手の良い収納ケース（扉ポケットや野菜室ケースなど）、冷蔵庫が得られる。
【００５２】
ここで、図８のように仕切り部材４０３のように仕切り部本体４１３の仕切りの長さ方向にスライド可能な第１のスライド仕切り部４５１や第２のスライド仕切り部４５２を設けた場合には、第１のスライド仕切り部４５１や第２のスライド仕切り部４５２がスライド構造のため仕切部本体４１３との間にスライドさせるためのすきま（スライドすきま）が必用であり、第１のスライド仕切り部４５１や第２のスライド仕切り部４５２をスライドして引き出した場合に、スライドすきま分だけがたついたりぐらついたりして仕切りの役目をはたせなかったり、あるいは第１のスライド仕切り部４５１や第２のスライド仕切り部４５２の引き出す長さが所定長さよりも長い場合など保持強度が不足して破損したりする恐れがあるが、このような場合には、図９のように第３のスライド仕切り部４５３や第４のスライド仕切り部４５４に、仕切り部本体４１４に対して長さ方向反対側の端部の下部に下方向に突出した例えば棒状や凸形状の取り付け足部４６３、４６４を設けて扉ポケット２００、２１０に固定・保持させれば良い。
【００５３】
図９において、仕切り部材４０４は板状の仕切り部本体４１４と板状の台座部４２４とから構成され、仕切り部本体４１４には仕切り部本体４１４の長さ方向にスライド可能な第３のスライド仕切り部４５３と第４のスライド仕切り部４５４がスライド可能に内部に収納されている。第３のスライド仕切り部４５３と第４のスライド仕切り部４５４は両方設ける必要がなく、どちらか一方を設ければ良い。また、仕切り部４１４に第３のスライド仕切り部４５３と第４のスライド仕切り部４５４を収納する場合、第３のスライド仕切り部４５３内に第４のスライド仕切り部４５４がスライド可能に収納され、仕切り部本体４１４内に第３のスライド仕切り部４５３をスライド可能に収納しても良いし、仕切り部本体４１４内に第３のスライド仕切り部４５３と第４のスライド仕切り部４５４が重なるように収納しても良い。
【００５４】
ここで、第３のスライド仕切り部４５３には、仕切り部本体４１４に対して長さ方向（スライド方向）反対側の端部の下部に下方向に突出した例えば棒状や凸形状の取り付け足部（スライド仕切りの嵌合突部）４６３が設けられており、同様に第４のスライド仕切り部４５４には、仕切り部本体４１４に対して長さ方向（スライド方向）反対側の端部の下部に下方向に突出した例えば棒状や凸形状の取り付け足部（スライド仕切りの嵌合突部）４６４が設けられている。この取付足部４６３、４６４は、台座部４２４に設けられた突出部（嵌合突部、嵌合凸部）４３４（図示せず）と同等形状をしており、扉ポケット２００、２１０の底面部２４０に設けられる取付穴（嵌合穴部）２５０に台座部４２４に設けられた突出部（嵌合突部、嵌合凸部）４３４と同様に嵌合され保持される。
【００５５】
このように仕切り部材４０４の仕切り部本体４１４にスライド自在に設けられた第３のスライド仕切り部４５３、第４のスライド仕切り部４５４のスライド方向の端側の下部に取付足部（スライド仕切りの嵌合突部）４６３、４６４を設けて底面部２４０の取付穴（嵌合穴部）２５０に嵌合して保持するようにしているので、第３のスライド仕切り部４５３あるいは第４のスライド仕切り部４５４をスライドさせて仕切り部本体４１４よりを引き出した状態であっても第３のスライド仕切り部４５３あるいは第４のスライド仕切り部４５４ががたついたりぐらついたりするのを抑制できるとともに第３のスライド仕切り部４５３あるいは第４のスライド仕切り部４５４をスライドさせて引き出した状態でも第３のスライド仕切り部４５３あるいは第４のスライド仕切り部４５４のスライド方向の端側の取付足部（スライド仕切りの嵌合突部）４６３、４６４が取付穴（嵌合穴部）２５０で保持あるいは固定されるので、仕切り部本体４１４、第３のスライド仕切り部４５３、第４のスライド仕切り部４５４の取り付けた状態での強度も向上する。
【００５６】
さらに、図１０に示すように仕切り部が角度自在に回動可能にしても良い。図１０において、仕切り部材４０５は板状の仕切り部本体４１５と板状の台座部４２５とから構成され、仕切り部本体４１５には仕切り部本体４１５の長さ方向にスライド可能な第５のスライド仕切り部４５５と第６のスライド仕切り部４５６がスライド可能であって内部に収納可能に構成されている。第５のスライド仕切り部４５５と第６のスライド仕切り部４５６は両方設ける必要がなく、どちらか一方を設ければ良い。また、仕切り部本体４１５に第５のスライド仕切り部４５５と第６のスライド仕切り部４５６を収納する場合、第５のスライド仕切り部４５５内に第６のスライド仕切り部４５６がスライド可能に収納され、仕切り部本体４１５内に第５のスライド仕切り部４５５をスライド可能に収納しても良いし、仕切り部本体４１５内に第５のスライド仕切り部４５５と第６のスライド仕切り部４５６が重なるように収納しても良い。
【００５７】
ここで、第５のスライド仕切り部４５５には、仕切り部本体４１５に対して長さ方向（スライド方向）反対側の端部の下部に下方向に突出した例えば棒状や凸形状の取り付け足部（スライド仕切りの嵌合突部）４６５が設けられており、同様に第６のスライド仕切り部４５６には、仕切り部本体４１５に対して長さ方向（スライド方向）反対側の端部の下部に下方向に突出した例えば棒状や凸形状の取り付け足部（スライド仕切りの嵌合突部）４６６が設けられている。この取付足部４６５、４６６は、扉ポケット２００、２１０の底面部２４０に設けられる取付穴（嵌合穴部、嵌合凹部）２５０に嵌合され保持される。
【００５８】
このように仕切り部材４０５の仕切り部本体４１５にスライド自在に設けられた第５のスライド仕切り部４５５、第６のスライド仕切り部４５６のスライド方向の端側の下部に取付足部（スライド仕切りの嵌合突部）４６５、４６６を設けて底面部２４０の取付穴（嵌合穴部）２５０に嵌合して保持するようにしているので、第５のスライド仕切り部４５５あるいは第６のスライド仕切り部４５６をスライドさせて仕切り部本体４１５よりを引き出した状態であっても第５のスライド仕切り部４５５あるいは第６のスライド仕切り部４５６ががたついたりぐらついたりするのを抑制できるとともに第５のスライド仕切り部４５５あるいは第６のスライド仕切り部４５６をスライドさせて引き出した状態でも第５のスライド仕切り部４５５あるいは第６のスライド仕切り部４５６のスライド方向の端側の取付足部（スライド仕切りの嵌合突部）４６５、４６６が取付穴（嵌合穴部、嵌合凹部）２５０で保持あるいは固定されるので、仕切り部本体４１５、第５のスライド仕切り部４５５、第６のスライド仕切り部４５６の取り付けた状態での強度も向上する。
【００５９】
ここで、仕切り部材４０５の仕切り部本体４１５にスライド自在に設けられた第５のスライド仕切り部４５５のスライド方向の端側には第１のひんじ４７５が設けられ、この第１のひんじ４７５を介して回動可能に第１の回動可能仕切り部４５７が設けられている。そして、第１の回動可能仕切り部４５７は第１のひんじ４７５を支点にして回動可能に第５のスライド仕切り部４５５に設けられている。また、仕切り部材４０５の仕切り部本体４１５にスライド自在に設けられた第６のスライド仕切り部４５６のスライド方向の端側には第２のひんじ４７６が設けられ、この第２のひんじ４７６を介して回動可能に第２の回動可能仕切り部４５８が設けられている。そして、第２の回動可能仕切り部４５８は、第２のひんじ４７６を支点にして回動可能に第６のスライド仕切り部４５６に設けられている。
【００６０】
また、第５のスライド仕切り部４５５、第６のスライド仕切り部４５６の端側の下部には、それぞれ取付足部（スライド仕切りの嵌合突部）４６５、４６６が設けられており、第１の回動可能仕切り部４５７、第２の回動可能仕切り部４５８にも端側にもそれぞれ取付足部（スライド仕切りの嵌合突部）４６７、４６８が設けられている。取付足部４６５、４６６、４６７、４６８は、扉ポケット２００、２１０の底面部２４０に設けられる取付穴（嵌合穴部、嵌合凹部）２５０に嵌合され保持される。
【００６１】
ここで、図１１に示すように第６のスライド仕切り部４５６、第２の回動可能仕切り部４５８、第２のひんじ４７６、取付足部４６６、４６８の代わりに第３の回動可能仕切り部４５９、第３のひんじ４７９、取付足部４６９を設けてもよい。図１１において、仕切り部材４０６には、仕切り部本体４１６と台座部４２６とから構成され、図１０と同じように仕切り部本体４１６の長さ方向にスライド自在に設けられた第５のスライド仕切り部４５５のスライド方向の端側には第１のひんじ４７５が設けられ、この第１のひんじ４７５を介して回動可能に第１の回動可能仕切り部４５７が設けられている。そして、第１の回動可能仕切り部４５７は第１のひんじ４７５を支点にして回動可能に第５のスライド仕切り部４５５に設けられている。
【００６２】
また、仕切り部材４０６は、仕切り部本体４１６の第５のスライド仕切り部４５５、第１の回動可能仕切り部４５７が設けられている端側とは反対側の端側に第３のひんじ部４７９を支点にして回動可能に第３の回動可能仕切り部４５９が設けられており、第３の回動可能仕切り部４５９にも端側にも取付足部（スライド仕切りの嵌合突部）４６９が設けられている。取付足部４６９は、扉ポケット２００、２１０の底面部２４０に設けられる取付穴（嵌合穴部）２５０に嵌合され保持される。
【００６３】
このように回動可能な第１の回動可能仕切部４５７、第２の回動可能仕切部４５８、第３の回動可能仕切部４５９を設ければ、仕切部本体４１５、４１６の仕切り方向（長さ方向）に対して第１の回動可能仕切部４５７、第２の回動可能仕切部４５８、第３の回動可能仕切部４５９の仕切方向を収納物の大きさや種類に応じて容易に変更できるので、収納物の収納効率が向上し、しかもユーザにとって使い勝手の良い扉ポケット、収納ケース、冷蔵庫が得られる。
【００６４】
ここで仕切り部材４０３、４０４、４０５、４０６の台座部４２３、４２４、４２５、４２６には、それぞれたとえば棒状あるいは多角柱状なとの突出部（嵌合突部、嵌合凸部）４３３、４３４、４３５、４３６が設けられており、突出部（嵌合突部、嵌合凸部）４３３、４３４、４３５、４３６は、図４〜図６で説明した扉ポケット２００、２１０の底面部２４０に設けられる例えば断面が円形状や多角形状の取付穴（嵌合穴部）２５０に嵌合する形状であり、少なくとも２つ設けられ、取付穴（嵌合穴部）２５０に突出部（嵌合突部）４３３、４３４、４３５、４３６が嵌合した状態で仕切り部材４０３、４０４、４０５、４０６の仕切り部本体４１３、４１４、４１５、４１６が扉ポケット２００、２１０の仕切りとして使用可能なように固定され、位置決めが行われる。
【００６５】
ここで、扉ポケット２００、２１０の底面部２４０に例えば断面が円形状や多角形状の取付穴（嵌合穴部）２５０を設ける代わりに、図７に示すように突出部２５１が設けられている場合には、仕切り部材４０３、４０４、４０５、４０６の台座部４２３、４２４、４２５、４２６に突出部（嵌合突部）４３３、４３４、４３５、４３６を設ける代わりに、仕切り部材４０３、４０４、４０５、４０６の台座部４２３、４２４、４２５、４２６に取付穴（嵌合穴部）が設ければ良く、取付足部（スライド仕切りの嵌合突部）４６３、４６４、４６５、４６６、４６７、４６８、４６９の代わりに、端側取付穴部（スライド仕切りの嵌合穴部）を設ければ良い。ここで、端側取付穴部（スライド仕切りの嵌合穴部）は貫通穴であっても良いが、止まり穴形状や凹部形状などでも良い。このようにしても、仕切り部材４０３、４０４、４０５、４０６の仕切り部本体４１３、４１４、４１５、４１６の取付位置や取付角度を収納する食品などの形状や大きさに合わせてユーザが適宜、選定できるので、ユーザにとって使い勝手の良い扉ポケットや収納ケース、冷蔵庫が得られる。
【００６６】
（仕切り部材の使用例）
ここで、仕切り部材を扉ポケットの仕切りとして使用した場合の一例を図１２に示す。図１２は、本実施の形態を表す冷蔵庫の扉ポケット２００を上から見た図である。図１２において、扉ポケット２００には形状や大きさの異なる食品などの収納物Ｘ（たとえば第１の収納物Ｘ１、第２の収納物Ｘ２、第３の収納物Ｘ３、第４の収納物Ｘ４）が収納されており、仕切り部材４０６にて仕切られている。仕切り部材４０６は、仕切り部本体４１６から仕切り部本体４１６の長さ方向にスライドして延出した第５のスライド仕切り部４５５とこの第５のスライド仕切り部４５５の端側の第１のひんじ４７５を支点にして約６０度回動した状態で第１の回動可能仕切り部４５７が設けられ、台座部４２６に設けられた突出部（嵌合突部、嵌合凸部）４３６（図示せず）が扉ポケット２００の底面２４０の取付穴（嵌合穴部、嵌合凹部）２５０に保持あるいは固定されることで扉ポケット２００、２１０内の仕切りとして機能している。また、仕切り部本体４１６には、第５のスライド仕切り部４５５とは反対方向側の端側に第３のひんじ４７９が設けられ、第３のひんじ４７９を支点にして約９０度回動した状態の第３の回動可能仕切り部４５９が設けられている。そして、台座部４２６に設けられた突出部４３６が扉ポケット２００の底面２４０の取り付け穴（嵌合穴部）２５０に保持あるいは固定されることで仕切りとして機能している。
【００６７】
ここで、仕切り部材４０６は、冷蔵庫扉を開いた状態で扉ポケットの前面側（扉を閉めた時には冷蔵庫の奥側）と後面側（扉を閉めた時には冷蔵庫の前側）とを仕切るように扉ポケット２００、２１０の底面部２４０に嵌合保持された仕切り部本体４１６と仕切り部本体４１６より仕切部本体４１６の仕切方向（長さ方向）にスライドして伸張した第５のスライド仕切り部４５５が設けられ、第５のスライド仕切り部４５５の仕切部本体４１６とは反対側の端側から第１のひんじ４７５を介して後面側に約６０度だけ回動した状態の第１の回動可能仕切り部４５７が設けられて、食品などの収納物Ｘ（たとえば第１の収納物Ｘ１、第２の収納物Ｘ２、第３の収納物Ｘ３、第４の収納物Ｘ４）を効率よく、区分けすることができる。略円形の第１の収納物Ｘ１、略四角形の第２の収納物Ｘ２を仕切り部本体４１６、第５のスライド仕切り部４５５で扉ポケットの前面側と後面側に仕切り、さらに略円形の第１の収納物Ｘ１や略四角形の第２の収納物Ｘ２よりも大きな略四角形の第３の収納物Ｘ３を第３のスライド仕切り部４５９で仕切り、また、第１の収納物Ｘ１や第２の収納物Ｘ２よりも小さな略円形の第４の収納物Ｘ４を第１の回動可能仕切り部４５７で区分けすることができるので、収納物の形状や大きさに合わせて収納物を効率よく区分けでき、ユーザにとって使い勝手の良い冷蔵庫の扉ポケット、冷蔵庫が得られる。
【００６８】
ここで、本実施の形態では、第１の回動可能仕切り部４５７、第３の回動可能仕切り部４５９を回動可能にしているので、従来では仕切りが取付角度固定だったため区分けしにくかった大物の収納物（たとえば角形の第３の収納物Ｘ３）や小物の収納物（たとえば円形の第４の収納物Ｘ４）や形状の異なる収納物なども無駄なスペースが少なく、効率よく収納できる。
【００６９】
（仕切り部材の収納）
次に仕切り部材４００〜４０６を使用しないときの収納方法について説明する。図１３は、本発明の冷蔵庫の収納ケースである扉ポケットと仕切り部材を説明するための図であり、図１３（ａ）は扉ポケットを上から見た図、図１３（ｂ）は仕切り部材の斜視図、図１３（ｃ）は仕切り部材を上から見た図である。図１４は、扉ポケットに仕切り部材を収納した図である。図１５は、本発明の冷蔵庫の扉ポケットと仕切り部材を説明するための図であり、図１５（ａ）は扉ポケットを上から見た図、図１５（ｂ）は仕切り部材の斜視図であり、図１６は、扉ポケットに仕切り部材を収納した図である。
【００７０】
図において、収納ケースである扉ポケット２００、２１０は、図４、図６、図７、図１２などと同等であり、同一部分は同一の符号を付して説明は省略する。図において、側壁の一部が扉の幅方向に対して所定幅だけ突出した幅広部２３０を有しており、底面部２４０には複数の仕切り部材４００を取り付けるための取付穴２５０が複数設けられている。扉ポケット２００、２１０は、ポケット固定部２３５に設けられた第１の係合部２３５ａ、２３５ｂが冷蔵室扉７（７ａ、７ｂ）の土手部７１の内側に設けられた第２の係合部７１ａ、７１ｂに係合することで冷蔵室扉７に保持・固定される。すなわち、扉ポケット２００，２１０の土手部７１の内側に扉ポケット２００、２１０のポケット固定部２３５が係合することで扉ポケット２００、２１０が冷蔵室扉７の土手部７１の内壁面に固定される。ここで、幅広部２３０の外幅はポケット固定部２３５の外幅よりも所定長さだけ大きく形成されており、本実施の形態では土手部７１の厚み分だけ収納容積を大きくできる。また、幅広部２３０は、ポケット固定部２３５に対して土手部７１の厚み分と同等か厚み分以下だけ幅広に形成されているので、土手部７１よりも外側抱に突出することがないので、冷蔵室扉７の開閉時に邪魔にならない。すなわち、扉ポケット２００、２１０の幅広部２３０の外側の幅寸法が、土手部７１の外側の幅寸法と略同等か、あるいは土手部７１の外側の幅寸法よりも小さく設定されている。
【００７１】
ここで、収納ケースである扉ポケット２００、２１０の底面部２４０に設けられた取付穴（嵌合穴部、嵌合凹部）２５０は、幅広部２３０の底面や冷蔵室扉７の土手部７１内壁底面にも設けても良い。また、仕切り部材４０７の台座部４２７は、仕切り部本体４１７に対して略対象の形状にしており、台座部４２７に設けられている突出部（嵌合突部、嵌合凸部）４３７が扉ポケット２００、２１０の幅方向端側の底面部２４０の取付穴（嵌合穴部、嵌合凹部）に取り付けられて収納される。このとき、本実施の形態では、扉ポケット２００、２１０の幅方向端側に形成されている幅広部２３０の内側形状に沿うような略六角形状をしているので、図１３（ｂ）、（ｃ）に示した仕切り部材４０７を図１３（ａ）に示した扉ポケット２００、２１０に収納する場合、図１４に示すように仕切り部材４０７の台座部４２７の少なくとも一部が幅広部２３０の内側（幅方向突出部内）に収めることができるため、扉ポケット２００、２１０内に大きな食品などの大きな収納物Ｘ６を収納する場合でも仕切り部本体４１７が邪魔になりにくい。
【００７２】
このとき、仕切り部材４０７の仕切り部本体４１７と扉ポケット２００、２１０の幅広部２３０の壁面（側壁）内側との間のスペースに小物食品やチューブ容器などの小物収納物Ｘ５が収納できるので、大きな収納物を収納する場合など仕切り部材４０７を仕切りとして使用せずに収納する場合でも小物収納物が収納できるので、ユーザに取って使い勝っ手がよい扉ポケット、冷蔵庫が得られる。また、仕切り部材４０７が扉ポケット２００、２１０に収納できるので、仕切り部材がなくなることがない。
【００７３】
したがって、仕切り部材４０７の台座部４２７の少なくとも一部を扉ポケット２００、２１０の幅方向端側に設けられた幅広部２３０内に収納することができ、仕切り部本体４１７と幅広部２３０の内側との間の空間に小物食品や小物部品（チューブ容器など）の小物収納物Ｘ５を収納できるので、仕切り部材４０７を仕切りとして使用しない場合でも扉ポケット２００、２１０内の収納容積を効率よく使用でき、ユーザにとって使い勝っての良い扉ポケット、収納ケース、冷蔵庫が得られる。
【００７４】
すなわち、仕切り部材４０７は、台座部４２７が仕切り部本体４１７に対して略対象の形状（上から見て六角形状）であるため、扉ポケット２００、２１０の幅方向両端側の底面部２４０（底面部左２４０ａ、底面部右２４０ｂ）のどちら側にも取り付けて収納することができる。このとき、本実施の形態では、扉ポケット２００、２１０の幅方向両端側に設けられている幅広部２３０の内側形状に沿うような形状をしているので、図１３（ｂ）、（ｃ）に示した仕切り部材４０７を図１３（ａ）に示した扉ポケット２００、２１０に収納する場合に、仕切り部材４０７の台座部４２７の少なくとも一部が幅広部２３０の内側（幅方向突出部内）に収めることができるため、扉ポケット２００、２１０内に食品などの収納物を収納する場合に仕切り部材４０７や仕切り部本体４１７が邪魔になりにくい。
【００７５】
また、図１４に示すように仕切り部材４０７の台座部４２７の少なくとも一部を扉ポケット２００、２１０の幅方向端側に設けられた幅広部２３０内に収納することで、仕切り部材４０７を使用しないときには、仕切り部材４０７が扉ポケット２００、２１０内の邪魔にならない位置に固定・保持されるので、仕切り部材４０７が紛失しないし、邪魔にならない。したがって、扉ポケット２００、２１０内の邪魔になる位置に仕切り部材４０７が無いため、大きな収納物Ｘ６も扉ポケット２００、２１０内に収納できるようになる。しかも仕切り部本体４１７と幅広部２３０の内側との間の空間に小物食品や小物部品（チューブ容器など）である小物収納物Ｘ５を収納できるので、仕切り部材４０７を仕切りとして使用しない場合でも扉ポケット２００、２１０内の収納容積を効率よく使用でき、ユーザにとって使い勝っての良い扉ポケット、収納ケース、冷蔵庫が得られる。
【００７６】
この場合に、仕切り部材４０７の台座部４２７が図１３（ｂ）、（ｃ）に示すように仕切り部本体４１７と略平行な部分を有する六角形状の場合、台座部４２７の仕切り部本体４１７と略平行な端面４２７ａの幅Ｍ３が扉ポケット２００、２１０の幅広部２３０の幅方向端面２３０ａの幅Ｍ１よりも小さくすることで、仕切り部材４０７を扉ポケット２００、２１０内の幅広部２３０内に保持や固定する場合に容易に収納できる。このとき、台座部４２７の仕切り部本体４１７部分の幅Ｍ４が扉ポケット２００、２１０の幅広部２３０の最大幅部Ｍ２よりも小さくすることで、仕切り部材４０７を扉ポケット２００、２１０内の幅広部２３０内に容易に収納できるので、使い勝手の良い扉ポケット、冷蔵庫が得られる。
【００７７】
（仕切り部材の収納の別の適用例）
次に仕切り部材４００〜４０７を収納ケースである扉ポケット２００、２１０内に収納する場合の別の例について図１５、図１６を用いて説明する。扉ポケット２００、２１０は、側壁の一部が扉の幅方向に対して所定幅だけ突出した幅広部２３０を有しており、底面部２４０には複数の仕切り部材４００を取り付けるための取付穴２５０が複数設けられている。
【００７８】
ここで、収納ケースである扉ポケット２００、２１０の底面部２４０には、図１５に示すように幅方向端側に切欠き部２６０が設けられている。本実施の形態では、扉ポケット２００、２１０が幅広部２３０を有しているので、切欠き部２６０の少なくとも一部が、幅広部２３０の領域内の底面部２４０に設けられている。すなわち、幅広部２３０内の底面部左２４０ａ、底面部右２４０ｂにそれぞれ切欠き部左２６０ａ、切欠き部右２６０ｂが設けられている。ここで、本実施の形態では、幅広部２３０の領域内は、ポケット固定部２３５の延長線と幅広部２３０で囲まれた領域を指すが、この領域近傍であれば良い。切欠き部２６０を設ける位置や部位は、扉ポケット２００、２１０において収納物を収納する場合に邪魔になりにくい位置や部位（例えば扉ポケット２００、２１０の幅方向の端側や前後方向の端側や、扉７の庫内側内面部（扉７の底面部７２や内側面部７３など））であれば良い。
【００７９】
切欠き部２６０は、仕切り部材４００〜４０７の台座部４２０〜４２７の仕切り部本体４１０〜４１７の長さ方向以上長さを有し、台座部４２０〜４２７の厚さと仕切り部材嵌合部４３０〜４３７の突出長さとを合わせた厚さ以上の幅を有する矩形状で底面部２４０を貫通しており、仕切り部材４００〜４０７の仕切り部本体４１０〜４１７を倒した状態（仕切り部本体４１０〜４１７が略水平あるいは横になった状態）で仕切り部材４００〜４０７の台座部４２０〜４２７が挿入される。このとき、本実施の形態では、仕切り部本体４１０〜４１７の側面（たとえば、図４に示される仕切り部材４００の場合は、側面部４８０）が底面部２４０に当接する状態まで台座部４２０〜４２７が切欠き部２６０に着脱可能に挿入されて収納される。したがって、仕切り部材を使用しない場合に仕切り部材をユーザが容易に収納でき、しかも切欠き部（たとえば貫通穴やスリットなど）より収納ケース内のごみなどを取り出すことができので、清掃が容易である。ここで、扉ポケット２００、２１０の底面部２４０の高さが仕切り部本体４１０の厚さ分だけ高くなるが、仕切り部本体４１０の厚さは３ｍｍ〜１２ｍｍ程度と薄いため、仕切り部本体４１０の側面４８０の上面に収納物を収納しても邪魔になることなく収納できるので問題ない。
【００８０】
以上のように、本発明の冷蔵庫は、収納ケース（たとえば扉ポケットや野菜室ケースや冷凍室ケースやチルド室ケースなど）内に収納する収納物の大きさや形状によって仕切り部材を自由に配置できるので、無駄なスペースが発生せず効率よく収納でき、ユーザにとって使い勝手の良い扉ポケットや収納ケース、冷蔵庫が得られる。また、扉ポケットや収納ケースなどの底面や側壁などに設けた穴などの嵌合部の配置をユーザが適宜設定することができるので、扉ポケットや貯蔵室や収納ケース内の仕切り部材の配置の自由度が向上する。
【００８１】
また、本発明の冷蔵庫は、仕切り部材を嵌合するだけの簡単の構成でありながら取付角度や取付場所を変更できるので、収納する食品の形状や大きさを選ばない使い勝手の良い冷蔵庫を提供できる。また、この発明の冷蔵庫は、仕切り部材が扉ポケットや収納ケースに嵌合などにより固定や保持されるようにしているので、仕切り部材が収納物の影響で別の場所に移動してしまうなどの不具合を防止することができる。
【００８２】
（扉ポケットの後方が開口していた場合の仕切り部材の適用例）
ここで、本実施の形態では、図４〜図１６に示したように、扉ポケット２００、２１０は背面壁を設けておらず後方が開口している。そのため、扉ポケット２００、２１０は、側壁の一部を構成するポケット固定部２３５および底面壁を構成する底面部２４０が扉体７の内側下部、内側側部に支持される構成であり、扉体７の内側側壁（土手部７１の側壁内側７５）、内側底面壁（土手部７１の底面壁７６）が扉ポケット２００、２１０の一部を構成する構造となっている。したがって、扉ポケット２００、２１０の収納容積が扉ポケット２００、２１０に背面壁を設けた場合よりも背面壁がない分だけ収納容積を大きくでき、また、扉体７の土手部７１の壁面（内側側面壁７５および底面壁上面７６）も扉ポケットととして利用できるので更に収納容積の拡大できる。しかも背面壁がない分だけ低コストとなる。
【００８３】
また、扉ポケット２００、２１０に仕切り部材４００〜４０７を設ける場合に、扉体７の土手部７１の側壁７５や底面壁７６にも第１の嵌合部（たとえば嵌合穴部２５０あるいは嵌合凸部２５１）を設けることも可能になるので扉ポケット２００、２１０の広範囲にわたって仕切り部材４００〜４０７を設置できる。また、仕切り部材４００〜４０７を使用しない場合に図１３〜図１６に示したように扉ポケット２００、２１０内に収納しても良いが、扉体７の内側壁面（たとえば、扉ポケット２００、２１０の近傍の土手部７１内側、あるいは土手部７１の内側の扉ポケットととして収納物を収納する部分（土手部７１の側壁内側７５、土手部７１の底面壁７６）に収納するようにすれば、着脱可能な扉ポケット２００、２１０を取り外して洗浄するときでも仕切り部材４００〜４０７を冷蔵庫本体１の扉体７に収納することができるので、仕切り部材４００〜４０７を紛失する可能性が低減できる。
【００８４】
特に仕切り部材を４００〜４０７を扉体７の扉ポケットととして収納物を収納可能な部分（たとえば土手部７１の側壁内側７５や底面壁７６）に仕切り板４００〜４０７を収納するようにすれば、扉ポケット２００、２１０の奥側のあまり使用しない部分に仕切り板４００〜４０７を収納するようにすれば、邪魔にならずに収納でき、しかも扉ポケット２００、２１０を取り外して洗浄するときでも仕切り部材４００〜４０７を冷蔵庫本体１の扉体７に収納することができるので、仕切り部材４００〜４０７を紛失することが可能性が低減できる。
【００８５】
したがって、本実施の形態では、扉ポケット２００、２１０が、少なくとも扉体２００、２１０の内側の側壁（例えば土手部７１の側壁７５）に係合され、扉体２００、２１０の内側の側壁（例えば土手部７１の側壁７５）および底面壁（例えば土手部７１の底面壁７６）で支持され、上方及び後方が開口して収納物を収納し、仕切り部材４００〜４０７を扉体２００、２１０に収納可能なようにしたので、着脱可能な扉ポケット２００、２１０を取り外して洗浄するときでも仕切り部材４００〜４０７を冷蔵庫本体１の扉体７に収納することができるので、仕切り部材４００〜４０７を紛失する可能性が低減できる。また、図１５や図１６のように扉ポケット２００、２１０にスリットや切欠き２６０ａ、２６０ｂを設ける必要がなくなり、小物部品を収納しても扉ポケット２００、２１０から収納物が落下することがなくなる。
【００８６】
（庫内照明による貯蔵室（扉ポケット）照射）
ここで、冷蔵室扉７内側の扉ポケット２００に仕切り部材４００〜４０７を設ける場合、周囲が薄くらい夜間など扉ポケットの底面が見づらく仕切り部材を変更しにくい場合があるので、その場合には庫内に設けられた照明装置により扉ポケット２００を照射するようにすれば良い。
【００８７】
図１７は、この発明の実施の形態１における冷蔵庫１の概略側断面図である。図１や図２で説明した冷蔵庫と同等部分は同一の符号を付して説明は省略する。本実施の形態の冷蔵庫は、貯蔵品（食品等）を収納するための空間を有する冷蔵室２、製氷室３、切替室４、野菜室５、冷凍室６など複数の貯蔵室を備えている。また、ヒンジ式の冷蔵室扉７、引き出し式の製氷室扉８、切替室扉９、野菜室扉１０、冷凍室扉１１を有し、これら各扉は室内と室外との間で空間の開放／遮蔽を行う。冷蔵庫１の最上部に設けられた貯蔵室である冷蔵室２内には複数の載置棚（庫内棚）８０が設けられており、最下段に設けられた載置棚８０の下方には略密閉された略密閉容器２ａが設けられており、＋３℃〜−３℃程度のチルド温度帯に温度制御されるチルド室として使用されたり、＋３℃〜＋５℃程度の野菜室温度帯に制御される野菜室や野菜保存容器として使用される。冷蔵室の下方には切替室４が設けられ、切替室４の下方には野菜室５が設けられている。また、冷蔵庫１の最下部で野菜室５の下方には冷凍室６が設けられている。以下においては、冷蔵室扉７、積載棚８０等を有する冷蔵室２について説明するが、これに限定するものではない。
【００８８】
ここで、図１７に示すように、冷蔵庫１は略直方体の形状をしており、冷蔵庫１の設置方向に基づき、扉を有する手前側の面を前面とし、前面に対する後側の面を後面とする。また、図１７における上側（天井側）を上面とし、下側（床側）を下面とし、その他の２面を側面（ここでは正面からみて左側を左側面とし、右側を右側面とする）とする。そして、扉７で開閉を行う冷蔵室２には、貯蔵品を積載するための複数の積載棚８０を上面（あるいは下面）に対して略平行となるように並列に複数配置して冷蔵室２内を区画し、貯蔵品の収納性を高めるようにしている。冷蔵室用冷却風路５０は庫内との間に真空断熱材などの断熱材５１を介して設けられている。
【００８９】
また、本実施の形態では、制御手段３０は、冷蔵庫の最下段に設けられた貯蔵室（例えば冷凍室６）の下方で冷蔵庫本体１の底面壁に設けられており、冷蔵庫１を構成する各手段を制御する。もちろん、制御手段は、図２に示すように冷蔵庫の最上段に設けられた貯蔵室（たとえば冷蔵室２）の背面上部に設けても良い。本実施の形態の制御手段３０は、主として冷蔵室２内の照明を行うための照明装置９００が有する複数のＬＥＤ９１０（９１０ａ、９１０ｂ、９１０ｃ、９１０ｄ、９１０ｅ、９１０ｆ）に係る制御を行う。
【００９０】
図１８はこの発明の実施の形態１における冷蔵庫の冷蔵室２の正面図である。図１８に示すように、冷蔵室２の内壁の側面部分（以下、側壁２Ｐという）に、例えば白色光等、使用者が貯蔵品を視認できるようにするための可視光を発する複数のＬＥＤ９１０を光源とする照明装置９００が設置されている。本実施の形態においては、側壁２Ｐにおいて、積載棚８０の前縁よりも前側（扉７寄り）の位置に照明装置９００を設けるようにして積載棚８０上に貯蔵物を収納した場合でも照明装置９００のＬＥＤ９１０の発光した光が貯蔵物でかくれてしまわないようにしている。また、上下方向に関しては、照明装置９００のＬＥＤ９１０の発光した光が載置棚８０によって影響を受けにくいように照明装置９００が有する複数のＬＥＤ９１０が複数の積載棚８０のうちの隣り合う２つの積載棚８０間の略中間に位置するように配置している。
【００９１】
図１９は一般的なＬＥＤ９１０の発光特性を表す図である。図のように、ＬＥＤ９１０は一般に発光に係る光の指向性が強い。そのためＬＥＤ９１０の発光面とは垂直となる光軸９１５方向に対する光度が最も高く、光軸９１５から離れるほど光度が低下する。ここでは、たとえば光軸９１５における光度に対して５０％以上の光度で照射する範囲をＬＥＤ９１０の有効照射範囲αとする（ただし、ＬＥＤ９１０が発した光により有効照射範囲α以外の部分にまったく光を照射することができないことを意味するものではなく、ＬＥＤ９１０が発した光により有効照射範囲α以外の範囲は所定の光度が得られない範囲を意味する）。図では光軸９１５方向を０°とした場合にα＝１００度（±約５０度）が有効照射範囲αに含まれている場合を表している。また、特に断らない限り、以下、ＬＥＤ９１０の発光に係る光の方向については、積載棚８０に平行な平面における方向を表すものとして説明する（上下方向の光に関しては特に制限するものではないものとする）。
【００９２】
本実施の形態では、複数のＬＥＤ９１０（９１０ａ、９１０ｂ、９１０ｃ、９１０ｄ、９１０ｅ、９１０ｆ）のうちの少なくとも１個を扉ポケット２００、２１０用の照明装置として使用するようにしている。たとえば、扉７が開放中は、照明装置９００の複数のＬＥＤ９１０はすべて庫内照明として使用するが、扉ポケット２００、２１０をも照射できるように設置されている。もちろん、照明装置９００の複数のＬＥＤ９１０のうちの少なくとも１つを扉ポケット２００、２１０の照射用に使用しても良い。
【００９３】
ここで、扉ポケット照射用のＬＥＤの色を庫内照明用ＬＥＤの色と異なる色としても良い。この場合、２色（第１色と第２色）発光できるＬＥＤを使用するようにすれば、昼間など周囲が薄暗くなく、扉ポケット２００、２１０の底面がよく見えて仕切り部材４００〜４０７の仕切り場所の変更や仕切り部材４００〜４０７の収納が容易な場合には、たとえば第１色である白色を点灯させて庫内照明として使用し、第２色（たとえば、第１色と異なる色でありユーザにまぶしさを感じさせにくい赤や青や緑や黄色やオレンジなど）を点灯させるようにして扉ポケット用の照明として使用するようにすれば扉ポケット２００、２１０を照射してもユーザにまぶしさを与えにくい。ここで、第１色（たとえば、第２色と異なる色である赤や青や緑や黄色やオレンジなど）を点灯させて庫内照明として使用し、第２色に第１色とは異なる色である白色を点灯させて扉ポケット用照明として使用してもよく、この場合には、夜間であっても扉ポケット２００、２１０が照射されるので、仕切り部材４００〜４０７の配置変更や収納が容易となる。
【００９４】
このようにすれば、夜間など冷蔵庫１の周囲が薄暗い場合でも扉ポケット２００、２１０を照射できるので、貯蔵室２の扉７の開放時に照明装置９００の複数のＬＥＤの少なくとも１つが庫内照明として利用できるため、扉ポケット２００、２１０が暗くなることはなく、また庫内も暗くなることがない。すなわち、本実施の形態では、扉ポケット用照明を設けているので、仕切り部材４００〜４０７を変更するために別途照明装置を設ける必要がなく、低コストで省エネルギーな冷蔵庫が得られる。
【００９５】
図２０は、この発明の実施の形態１における冷蔵庫の冷蔵室２を上面からみた図である。前述したように扉７は冷蔵室２の前面に設置している。本実施の形態の冷蔵庫１において、冷蔵室２の前面には、それぞれヒンジ（図示せず）により冷蔵庫１の本体と連結し、いわゆる観音開き式の開閉により冷蔵室２の空間を外部に開放／遮蔽するための冷蔵室扉７Ａ及び７Ｂを有する。ここでは、冷蔵庫１に向かって左側にある扉を冷蔵庫扉左７Ａとし、右側にある扉を冷蔵庫扉右７Ｂとする（特に区別する必要がない場合には冷蔵室扉７として説明する）。
【００９６】
また、扉７は内側に、食品収納用のドアポケット２００、２１０を有している。また、照明装置９００は、電気回路を構成したプリント基板９１３にＬＥＤ９１０を複数備え付けて構成している。ただし、プリント基板９１３部分は冷蔵室２内には露出させないようにして見栄えを良くし、また内容積が減少することを抑制している。
【００９７】
本実施の形態では、図１７に示すように冷蔵庫を通常の使用状態で設置（略直方体状の冷蔵庫本体を一般的な住宅の略水平な床面に通常使用される状態（ユーザが冷蔵庫として使用する状態）で設置）した場合において、ＬＥＤ９１０の略中心と貯蔵室（たとえば冷蔵室２）に載置される載置棚８０の前縁までの略水平方向距離（長さ）をＬ１とし、図２０に示すように冷蔵庫１の貯蔵室（たとえば冷蔵室２）の横幅（載置棚８０が載置されている側壁面２Ｐと２Ｐの間）の略水平方向距離（長さ）をＬ２、ＬＥＤ９１０の略中心と貯蔵室（たとえば冷蔵室２）の載置棚８０が載置されている側壁面２Ｐまでの略水平方向距離（長さ）をＬ３、載置される載置棚８０の前縁から貯蔵室（たとえば冷蔵室２）の背面壁までの略水平方向距離をＬ４とすれば、本実施の形態では、側壁２Ｐに対してＬＥＤ９１０の光軸９１５がなす角度θをＴａｎ−１（（Ｌ２＋Ｌ３）／Ｌ１））＜θ＜９０°となるように配置してＬＥＤ９１０の光軸９１５方向の光が積載棚８０（特に前縁部分）に直接入射しないような方向（たとえばＬＥＤ９１０の光軸９１５が積載棚８０の前縁部分に直接当たらないような方向）にＬＥＤ９１０、およびＬＥＤ９１０の光軸９１５を配置して使用者にまぶしさを与えないようにしている。ここで、Ｔａｎ−１はアークタンゼントを表す。
【００９８】
ここで、Ｌ２＞＞Ｌ３（Ｌ２がＬ３よりも十分大きい）であるので、Ｌ２＋Ｌ３≒Ｌ２（Ｌ２＋Ｌ３がＬ２と略同等）と考えることができるので、Ｔａｎ−１（（Ｌ２＋Ｌ３）／Ｌ１）は、Ｔａｎ−１（Ｌ２／Ｌ１）と考えてＬＥＤ９１０の光軸９１５を配置しても良い。したがって、上述のように考えれば、側壁２Ｐに対してＬＥＤ９１０の光軸９１５がなす角度θをＴａｎ−１（Ｌ２／Ｌ１）＜θ＜９０°となるようにしてＬＥＤ９１０の光軸９１５方向の光が積載棚８０（特に前縁部分）に直接入射しないような方向（たとえばＬＥＤ９１０の光軸９１５が積載棚８０の前縁部分に直接当たらないような方向）にＬＥＤ９１０、およびＬＥＤ９１０の光軸９１５を配置しても良い。
【００９９】
図２０（ａ）では、側壁２Ｐに対してＬＥＤ９１０の光軸９１５がなす角度θをＴａｎ−１（（Ｌ２＋Ｌ３）／Ｌ１）より大きい角度、たとえばθを７０度より大きい角度となるようにしており、ＬＥＤ９１０の光軸９１５方向の光が積載棚８０（特に前縁部分）に直接入射しないような方向（たとえばＬＥＤ９１０の光軸９１５が積載棚８０の前縁部分に直接当たらないような方向）にＬＥＤ９１０の光軸９１５が向くように、照明装置９００を取り付けて光が積載棚８０の前縁に直接当たって反射光が使用者に眩しさを与えないようにしている。
【０１００】
Ｔａｎ−１（（Ｌ２＋Ｌ３）／Ｌ１）より大きい角度、たとえば角度θを７０度より大きくすることで、積載棚８０全体を照射する際に、ムラ等をなくし、バランスのよい照射を行うことができる。ここで、例えば角度θを７０度より大きくしても光軸９１５方向の光が積載棚８０に入射するような場合には、反射光が使用者に眩しさを与えない等の事情がなければ、基本的には光軸９１５方向の光が積載棚８０に直接入射しないような向きにすることを優先して設置する方が望ましい。また、角度θの上限については限定するものはないが、冷蔵室２内を照明することが主であるため、角度θが９０°以上だと光軸９１５が冷蔵庫１の庫内側を向かずに庫外側を向くようになるため庫内を照射しなくなる恐れがあるので、側壁２Ｐに対してＬＥＤの光軸９１５の成す角度θは、９０°より小さくして庫内側を向くようにした方が好ましい。すなわち、側壁２Ｐに対してＬＥＤの光軸９１５の成す角度θは、７０°より大きく、９０°より小さいことが好ましい。（７０°＜θ＜９０°であることが好ましい。）ただし、有効照射範囲αの範囲は庫内を照明可能なので、有効照射範囲αをたとえばα＝１００度（光軸９１５に対して±５０度）とすれば、光軸９１５の設置角度θがＴａｎ−１（（Ｌ２＋Ｌ３）／Ｌ１））＜θ＜９０°＋α／２の範囲内であれば、庫内の照明を行え、しかも使用者にまぶしさを与えないので良い。
【０１０１】
但し、照明装置９００の側壁２Ｐへの取付位置を載置棚８０の前縁よりも庫内側に設ける場合（たとえばＬ３がマイナスの場合）には、側壁２Ｐに対してＬＥＤの光軸９１５の成す角度θがＴａｎ−１（（Ｌ２＋Ｌ３）／Ｌ１）以下、たとえばθが７０度以下であっても光軸９１５方向の光が載置棚８０の前縁に直接当たることがないので、照明装置９００を取り付けて光が積載棚８０の前縁に直接当たって反射光が使用者に眩しさを与えることがない。したがって、この場合は、光軸９１５をθ＝約７０度、ＬＥＤ９１０の有効照射範囲αをたとえば１００度（±約５０度）程度とすれば、照明装置９００のＬＥＤ９１０が照射する範囲は、側壁２Ｐに対して−α／２＋θ＜照射範囲＜θ＋α／２となり照射範囲は２０°から１２０°までの範囲となり、庫内のほぼ全領域をまんべんなく照射することが可能になる。
【０１０２】
また、照明装置９００の取付位置が側壁２Ｐに対して載置棚８０の前縁よりも前方側の場合（たとえばＬ３がプラスの場合）で側壁２Ｐに対してＬＥＤの光軸９１５の成す角度θがＴａｎ−１（（Ｌ２＋Ｌ３）／Ｌ１）以下、たとえば７０度以下の場合について説明する。
【０１０３】
図２１は、この発明の実施の形態１における別の冷蔵庫の冷蔵室の上面図である。この冷蔵庫においては、側壁２Ｐに対するＬＥＤ９１０の光軸９１５の成す角度θをＴａｎ−１（（Ｌ２＋Ｌ３）／Ｌ１）以下として、ＬＥＤの光軸９１５方向の光を積載棚８０の方向に向けている場合を表している。図に示す冷蔵庫では、側壁２Ｐに対するＬＥＤ９１０の角度θをＴａｎ−１（（Ｌ２＋Ｌ３）／Ｌ１）以下として、ＬＥＤの光軸９１５方向の光を積載棚８０の方向に向けているために、冷蔵室２の後側（奥側）に集中的に光が照射されやすい。そのため、冷蔵室２内を明るく照らすことができるが、ＬＥＤ９１０による光軸９１５方向の光が積載棚８０に直接入射することになるため、積載棚８０の前縁による反射光が冷蔵庫１の使用者の目に強く入射し、眩しく感じてしまう恐れがある。
【０１０４】
この場合には、載置棚８０の前縁に光を反射しにくい材料の使用や光を反射しにくい皮膜加工や形状（たとえば光沢のない塗装や反射しにくい色の塗装や表面を凹凸加工して反射した光が庫内前面方向でなく側面方向に向かうような形状など）にして光が反射してもまぶしく感じないようにすれば良い。したがって、本実施の形態では、冷蔵庫１は、側壁２Ｐに対するＬＥＤ９１０の角度θをＴａｎ−１（（Ｌ２＋Ｌ３）／Ｌ１）以下（たとえば７０度以下）にしてＬＥＤ９１０の光軸９１５方向に発した光が直接積載棚８０に入射しても反射による眩しさを軽減させることができ、しかも庫内のほぼ全範囲をまんべんなく明るく照射することができ、使用者の目に与える影響が小さく庫内の貯蔵物が夜間でもすぐに確認できる目にやさしい冷蔵庫を提供できる。
【０１０５】
ここで、前述したように、照明装置９００の光源であるＬＥＤ９１０は指向性が強く、光軸９１５を中心とした有効照射範囲αにおける光が強く照射される。ここで、側壁２Ｐに対してＬＥＤ９１０の光軸９１５方向がなす角度θを変化させると、有効照射範囲αも連動して変化する。図２１に示す冷蔵庫では、側壁２Ｐに対するＬＥＤ９１０の光軸９１５の角度θをＴａｎ−１（（Ｌ２＋Ｌ３）／Ｌ１）以下（たとえば７０°以下）として、冷蔵室２内を集中的に照射しているため、ドア（扉）７が閉塞状態に対してほぼ９０度開口した状態の開かれた扉７の内側はＬＥＤ９１０の有効照射範囲αの中に含まれなくなる可能性があるため、扉７の内側に設けているドアポケット２００、２１０には、ＬＥＤ９１０による光の照射が少なく、暗くなってしまう恐れがある。ドアポケット２００、２１０は、飲み物、小物等を収納したり取り出したりするのに非常に便利な収納スペースであり、また、仕切り部材４００〜４０７の配置を変更することも考えられるため、特に夜間など冷蔵庫１の周囲が暗くなっている場合など使用者の便利さを考えるとドア（扉）７がほぼ９０度開口した状態のドアポケット２００、２１０を照明できるようにすることが好ましいので、有効照射範囲αを考慮して光軸９１５の設置角度を設定すれば良い。
【０１０６】
なお、ＬＥＤの有効照射範囲αを考慮して側壁２Ｐに対するＬＥＤ９１０の光軸９１５の角度θをＴａｎ−１（（Ｌ２＋Ｌ３）／Ｌ１）（たとえば７０度）よりも大きくするなどしてドア（扉）７が閉塞状態に対してほぼ９０度開口した状態の扉ポケット２００、２１０を照明できる程度にＬＥＤ９１０の光軸９１５のなす角度θを設定すれば良い。
【０１０７】
そこで図２０で示す冷蔵庫１では、側壁２Ｐに対するＬＥＤ９１０の光軸９１５がなす角度θをＴａｎ−１（（Ｌ２＋Ｌ３）／Ｌ１）よりも大きい角度（たとえば約７５度）にして、ドア（扉）７が閉塞された状態に対してほぼ９０度開口した状態の扉ポケット２００、２１０を有効照射範囲α（の延長線上）に含めるようにしている。そのため、ＬＥＤ９１０は冷蔵室２内を照射すると同時に扉ポケット２００、２１０も照明することが可能となり、夜間であっても庫内の照明とドアポケットの照明の両方が得られるユーザの使い勝手の良い冷蔵庫が得られる。
【０１０８】
ここで、側壁２Ｐに対するＬＥＤ９１０の光軸９１５がなす角度θがＴａｎ−１（（Ｌ２＋Ｌ３）／（Ｌ１＋Ｌ４））の時、一般の冷蔵庫ではθが略６０度の時に光軸９１５が、ＬＥＤ９１０が設置されている内壁２Ｐと対向する内壁２Ｐが背面壁と交差する角部位置２Ｒ（貯蔵室内の奥側角部位置、奥側コーナー位置）方向を向くので、θが略６０度の時が一番効率よく貯蔵室内全域を照射可能となる。したがって、θがＴａｎ−１（（Ｌ２＋Ｌ３）／（Ｌ１＋Ｌ４））の時（たとえば約６０度）の場合が庫内照明としての観点から考えれば良い。
【０１０９】
ここで、Ｌ４＞＞Ｌ１（Ｌ４がＬ１よりも十分大きい）であるので、Ｌ１＋Ｌ４≒Ｌ４（Ｌ１＋Ｌ４がＬ４と略同等）と考えることができるので、Ｔａｎ−１（（Ｌ２＋Ｌ３）／（Ｌ１＋Ｌ４））は、Ｔａｎ−１（Ｌ２／Ｌ４）と考えて、ＬＥＤ９１０の光軸９１５を配置しても良い。θがＴａｎ−１（（Ｌ２＋Ｌ３）／（Ｌ１＋Ｌ４））以下（たとえば略６０度以下）の場合には、上述したようにＬＥＤ９１０から発せされる光が庫内棚８０の前縁に反射してユーザにまぶしさを与える可能性があるが、θが３０度以上６０度以下程度であれば反射の方向が冷蔵庫正面側に立って庫内を視認するユーザにはまぶしさを与える方向ではないので、ユーザにまぶしさを与えてユーザが使いにくいという可能性は低いと考えられる。また、ユーザにまぶしさを与える可能性がある場合は、積載棚８０の前縁に反射光を和らげる材料の部材や光を吸収して反射光を弱くする部材などを設ければ良い。
【０１１０】
ここで、側壁２Ｐに対するＬＥＤ９１０の光軸９１５がなす角度θは、ＬＥＤ９１０の有効照射範囲αを考慮するとＴａｎ−１（（Ｌ２＋Ｌ３）／（Ｌ１＋Ｌ４））程度がよい。ただし、なす角度θをＴａｎ−１（（Ｌ２＋Ｌ３）／（Ｌ１＋Ｌ４））程度にすると、載置棚８０の前縁に光が反射して使用者がまぶしく感じる恐れがあるし、ドア（扉）７が閉塞された状態に対してほぼ９０度開口した状態の扉ポケット２００、２１０が照射されにくくなる可能性があるので、θはＴａｎ−１（（Ｌ２＋Ｌ３）／（Ｌ１＋Ｌ４））程度＜θ＜９０度の範囲内に設定するのが良いが、θが９０度に近くなると有効照射範囲αを考慮するとθがたとえば約９０度、有効照射範囲αがたとえば１００度（光軸９１５に対して±５０度）とすれば、照射範囲は４０度から１５０度の範囲となり照射範囲が１５０度の場合には使用者（ユーザ）にまぶしさを与える可能性があるので、θはＴａｎ−１（（Ｌ２＋Ｌ３）／（Ｌ１＋Ｌ４））程度＜θ＜Ｔａｎ−１（（Ｌ２＋Ｌ３）／Ｌ１）程度の範囲内に設定した方が、有効照射範囲αを考慮したときには使用者にまぶしさを与えず、庫内の広い範囲を照射できるので良い。
【０１１１】
以上のように本実施の形態１によれば、ＬＥＤ９１０を庫内照明に使用したので、発熱量が少なく、低消費電力による省エネルギな冷蔵庫を得ることができる。また、庫内照明に使用される複数のＬＥＤ９１０のうちの少なくとも１個のＬＥＤを扉ポケット２００、２１０用の照明に使用できるため、別途扉ポケット２００、２１０用のために照明装置を設ける必要がなくなり、また、他色で点灯させることにより意匠性も向上する。
【０１１２】
また、ＬＥＤ９１０を照明に利用する際、冷蔵庫１の冷蔵室２内における左右の側壁２Ｐに、積載棚８０の前縁よりも前側（扉７側）となる位置に、複数のＬＥＤ９１０を上下方向に並べた照明装置９００を設け、各ＬＥＤ９１０が発する光の光軸９１５と側壁２Ｐとがなす角度θをＴａｎ−１（Ｌ２＋Ｌ３）／Ｌ１）程度（たとえば略７０°）より大きく略９０度より小さいものとし、また光軸９１５方向の光が積載棚８０に直接入射しないようにしたので、ＬＥＤ９１０の光軸９１５方向の光が積載棚８０の前縁に直接当たることがなく、使用者の眩しさを軽減させることができ、冷蔵室２内の高視認性を確保することができる。また、各ＬＥＤ９１０が発する光の光軸９１５と側壁２Ｐとがなす角度θをＴａｎ−１（Ｌ２＋Ｌ３）／Ｌ１）程度（たとえば略７０°）より大きくして照明装置９００を冷蔵室２内の後方（奥側）に傾けすぎて設置しないようにした場合には、冷蔵室２の前側、すなわち扉７が開放状態であっても扉７に設けている扉ポケット２００、２１０も照射することができるため、例えば扉ポケット２００、２１０照明用の専用の照明装置を設ける必要がなく、コスト削減、省エネルギー化に寄与することができる。
【０１１３】
また、側壁２Ｐに対するＬＥＤ９１０のなす角度θをＴａｎ−１（Ｌ２＋Ｌ３）／Ｌ１）程度（たとえば略７０°）以下にしてＬＥＤ９１０の光軸９１５方向に発した光が直接積載棚８０に入射するようにした場合でも、載置棚８０の前縁への光の入射角が浅いため反射光が冷蔵庫前面の使用者に直接当たらず使用者がまぶしさの影響を受けにくい場合には、反射による反射光で眩しさを感じることがなく、しかも庫内のほぼ全範囲をまんべんなく明るく照射することができ、使用者の目に与える影響が小さく庫内の貯蔵物が夜間でもすぐに確認できる目にやさしい冷蔵庫を提供できる。また、扉ポケット２００、２１０内の仕切り部材４００〜４０７の設置位置の確認や設置位置変更や収納が別途扉ポケット照射専用の照明を設けることなく容易に行えるので、低コストで省エネルギーな冷蔵庫が得られる。
【０１１４】
また、ＬＥＤ９１０の光軸９１５方向に発した光が直接積載棚８０に入射するようにした場合で使用者がまぶしく感じるような場合でも、載置棚８０の前縁に光を反射しにくい材料の使用や光を反射しにくい皮膜加工や形状（たとえば光沢のない塗装や反射しにくい色の塗装や表面を凹凸加工して反射した光が庫内前面方向でなく側面方向に向かうような形状）にすれば、同様に反射による眩しさを軽減させることができ、しかも庫内のほぼ全範囲をまんべんなく明るく照射することができ、使用者の目に与える影響が小さく庫内の貯蔵物が夜間でもすぐに確認できる目にやさしい冷蔵庫を提供できる。
【０１１５】
以上より、前面開口部に開閉扉を有する貯蔵室（たとえば冷蔵室２）内に設けられ、食品などを載置する載置棚８０と、貯蔵室内の側壁２Ｐの前面側に設けられた貯蔵室内照明装置９００と、を備え、貯蔵室内照明装置９００にＬＥＤ９１０を使用し、ＬＥＤ９１０の略中心と貯蔵室（たとえば冷蔵室２）内に設けられ食品などを載置する載置棚８０の前縁までの距離をＬ１とし、貯蔵室内の載置棚が設けられている部分の側壁面２Ｐ間距離（貯蔵室の横幅）をＬ２、貯蔵室２内のＬＥＤ９１０が設けられている側であって載置棚８０が設けられている側壁面２ＰからＬＥＤ９１０（先端部）とまでの距離をＬ３、載置棚８０の前縁から貯蔵室の背面壁までの距離をＬ４としたとき、ＬＥＤ９１０が設けられている側壁面２Ｐに対するＬＥＤ９１０の光軸９１５のなす角度θを
Ｔａｎ−１（（Ｌ２＋Ｌ３）／（Ｌ１＋Ｌ４））＜θ＜Ｔａｎ−１（（Ｌ２＋Ｌ３）／Ｌ１）
の範囲内に設定すれば、使用者にまぶしさを与えず、また庫内の広い範囲を照射できるので庫内が見やすいし、また、有効照射範囲αを考慮すれば扉開放時であっても扉ポケット２００、２１０も照射可能となるため、別途扉ポケット照射用の照明装置を設ける必用がなくなるので、夜間であってもポケット内の収納物が視認できるし、仕切り部材４００〜４０７の仕切り位置の変更や仕切り部材４００〜４０７の扉ポケット２００、２１０内への収納も容易に行える低コストで省エネルギーで扉ポケット２００、２１０内の収納物を効率的に区分けできる使い勝手の良い冷蔵庫が得られる。
【０１１６】
また、ＬＥＤ９１０が設けられている側壁面２Ｐに対するＬＥＤ９１０の光軸９１５のなす角度θを
Ｔａｎ−１（（Ｌ２＋Ｌ３）／（Ｌ１＋Ｌ４））＜θ＜略９０度
の範囲内に設定しても、使用者にまぶしさを与えず、また、有効照射範囲αを考慮すれば庫内の広い範囲を照射できるので庫内が見やすい。また、扉開放時であっても扉ポケットも照射可能となるため夜間であってもポケット内の収納物が視認できる。
【０１１７】
また、ＬＥＤ９１０が設けられている側壁面２Ｐに対するＬＥＤ９１０の光軸９１５のなす角度θを
Ｔａｎ−１（（Ｌ２＋Ｌ３）／Ｌ１）＜θ＜略９０度
の範囲内に設定すれば、ＬＥＤ９１０の光軸９１５が載置棚８０の前縁に直接当たらないため使用者にまぶしさを与えず、また、有効照射範囲αを考慮すれば庫内の広い範囲を照射できるので庫内が見やすい。また、扉開放時であっても扉ポケットも照射可能となるため夜間であってもポケット内の収納物が視認できる。
【０１１８】
ここで、扉ポケット２００、２１０内に設置する仕切り部材４００〜４０７の扉ポケット２００、２１０内への設置や仕切り位置変更や仕切り部材の収納などを行う場合には、扉ポケット２００、２１０を照射する照明９１０は、扉ポケット２００、２１０の側方から照射するよりは扉ポケット２００、２１０の底面２４０に対して上方からと下方からの両方から照射できる位置に配置することが望ましいが、少なくとも一方から照射できる位置に配置するようにすれば、仕切り部材４００〜４０７の底面２４０近傍が照射可能となるので、仕切り部材４００〜４０７の設置や仕切り位置変更や仕切り部材の収納が容易に行える。
【０１１９】
なお、本実施の形態では、図１７に示したように照明装置９００（ＬＥＤ９１０（９１０ａ、９１０ｂ、９１０ｃ、９１０ｄ、９１０ｅ、９１０ｆ））が貯蔵室であるたとえば冷蔵室２の内壁の側面部分２Ｐの前面側２Ｘに高さ方向に複数設けられている例について説明したが、貯蔵室であるたとえば冷蔵室２の内壁の上面壁（天井部分）２Ｙや貯蔵室であるたとえば冷蔵室２の内壁の低面壁（底面の仕切り壁）２Ｚに設けても良い。天井部分に設ける場合には、載置棚８０の前縁よりも前面側に冷蔵庫の幅方向に複数設ければ良い。この場合、冷蔵庫の天井部分の前面側２Ｙで幅方向に複数設けられた照明装置９００のＬＥＤのうち、貯蔵室扉である冷蔵室扉左７Ａ側に設けられた照明装置９００のＬＥＤで貯蔵室扉である冷蔵室扉右７Ｂの扉ポケットを照射するように設定すればよく、同様に冷蔵室扉右７Ｂ側に設けられた照明装置９００のＬＥＤで冷蔵室扉左７Ａの扉ポケットを照射するように設定すれば、冷蔵室扉７（７Ａ、７Ｂ）を開放した場合であっても貯蔵室扉である冷蔵室扉７が邪魔になって収納ケースである扉ポケットへの照射が抑制されることがなく、効率よくＬＥＤからの光を照射できる。
【０１２０】
（照明装置の上面壁、底面壁への適用）
ここで、貯蔵室であるたとえば冷蔵室２の内壁の上面壁（天井部分）２Ｙに照明装置を設ける場合は、図２２に示すように照明装置９００のＬＥＤ９１０を配置すれば良い。
図２２は、この発明の実施の形態１における冷蔵庫１の概略側断面図である。図１や図２図１７で説明した冷蔵庫と同等部分は同一の符号を付して説明は省略する。
【０１２１】
冷蔵庫を通常の使用状態で設置（略直方体状の冷蔵庫本体を一般的な住宅の略水平な床面に通常使用される状態（ユーザが冷蔵庫として使用する状態）で設置）した場合において、貯蔵室であるたとえば冷蔵室２の内壁の上面壁（天井部分）２Ｙに照明装置を設ける場合は、ＬＥＤ９１０の略中心と貯蔵室（たとえば冷蔵室２）に載置される載置棚８０のうち前縁までの略水平方向距離（長さ）をＬ１とし、冷蔵庫１の貯蔵室（たとえば冷蔵室２）の上面壁の内壁面と載置棚８０のうち最下段の載置棚８０ａの上面までの略垂直方向距離（長さ）をＬ２、ＬＥＤ９１０の略中心と貯蔵室（たとえば冷蔵室２）の上面壁の内壁面２Ｙまでの略垂直方向距離（長さ）をＬ３、載置される載置棚８０の前縁から貯蔵室（たとえば冷蔵室２）の背面壁までの略水平方向距離をＬ４とすれば、照明装置９００が図１７のように貯蔵室（たとえば冷蔵室２）内の側面壁に設けられている場合と同様に照明装置９００のＬＥＤ９１０の光軸９１５の角度θの設置範囲を設定できる。
【０１２２】
すなわち、上面壁２Ｙに対してＬＥＤ９１０の光軸９１５がなす角度θをＴａｎ−１（（Ｌ２＋Ｌ３）／Ｌ１））＜θ＜９０°となるように配置してＬＥＤ９１０の光軸９１５方向の光が積載棚８０（特に前縁部分）に直接入射しないような方向（たとえばＬＥＤ９１０の光軸９１５が積載棚８０の前縁部分に直接当たらないような方向）にＬＥＤ９１０、およびＬＥＤ９１０の光軸９１５を配置すれば、ＬＥＤ９１０を側壁２Ｐに配置した上述の例と同様に、ＬＥＤ９１０の光軸９１５が庫外に向かず、しかもの光軸９１５が載置棚８０の前縁に直接当たって反射することが抑制できるので使用者にまぶしさを与えないようにすることができる。
【０１２３】
ここで、Ｌ２＞＞Ｌ３（Ｌ２がＬ３よりも十分大きい）であるので、Ｌ２＋Ｌ３≒Ｌ２（Ｌ２＋Ｌ３がＬ２と略同等）と考えることができるので、Ｔａｎ−１（（Ｌ２＋Ｌ３）／Ｌ１）は、Ｔａｎ−１（Ｌ２／Ｌ１）と考えてＬＥＤ９１０の光軸９１５を配置しても良い。したがって、上述のように考えれば、上面壁２Ｙに対してＬＥＤ９１０の光軸９１５がなす角度θをＴａｎ−１（Ｌ２／Ｌ１）＜θ＜９０°となるようにしてＬＥＤ９１０の光軸９１５方向の光が積載棚８０（特に前縁部分）に直接入射しないような方向（たとえばＬＥＤ９１０の光軸９１５が積載棚８０の前縁部分に直接当たらないような方向）にＬＥＤ９１０、およびＬＥＤ９１０の光軸９１５を配置しても良い。
【０１２４】
同様に、冷蔵庫の底面壁部分の前面側２Ｚで幅方向に複数照明装置９００のＬＥＤを設ける場合でも複数照明装置９００のＬＥＤのうち、冷蔵室扉左７Ａ側に設けられた照明装置９００のＬＥＤで冷蔵室扉右７Ｂの扉ポケットを照射するように設定すればよく、同様に冷蔵室扉右７Ｂ側に設けられた照明装置９００のＬＥＤで冷蔵室扉左７Ａの扉ポケットを照射するように設定すれば、冷蔵室扉７（７Ａ、７Ｂ）を開放した場合であっても冷蔵室扉７の土手部７１が邪魔になって扉ポケットを照射が抑制されることがなく、効率よくＬＥＤからの光を照射できる。
【０１２５】
（扉ポケット以外への適用）
以上は、扉ポケット２００、２１０内の仕切り部材４００〜４０７の仕様などや扉ポケット２００、２１０の庫内照明による照射などについて説明したが、本発明は扉ポケットに限らず、冷蔵庫内の収納ケース（チルド室ケース２ａ、貯氷ケース８ａ、切替室ケース９ａ、野菜室ケース１０ａ、冷凍室ケース１１ａ、１１ｂ）などケースに適用しても同様の効果が得られる。
【０１２６】
（効果）
以上のように、  また、本発明は、冷蔵庫本体１に設けられ、収納物を冷却する貯蔵室２、３、４、５、６と、この貯蔵室に設けられ上方が開口して収納物を収納する収納ケース２ａ、９ａ、１０ａ、１１ａ、２００（２００ａ、２００ｂ、２００ｃ）、２１０（２１０ａ、２１０ｂ、２１０ｃ）と、収納ケース内を仕切る仕切り部材４００、４０１、４０２、４０３、４０４、４０５、４０６、４０７と、を備え、仕切り部材は、収納ケース内を仕切る仕切り部本体４１０、４１１、４１２、４１３、４１４、４１５、４１６、４１７と、収納ケースの底面２４０に設けられた第１の嵌合部である収納ケース嵌合部（たとえば扉ポケット嵌合部２５０）に嵌合することで収納ケースに仕切り部本体を保持する第２の嵌合部である仕切り部材嵌合部４３０、４３１、４３２、４３３、４３４、４３５、４３６、４３７と、を有し、仕切り部材を収納ケースの底面に取付角度や取付箇所を可変に嵌合可能としたので、取付穴の配置を適宜設定することで、着脱可能な仕切り部材の仕切り部の取付角度（仕切り部本体の仕切り角度、方向）を所定角度で変更することが可能となり、また、仕切り部材の取付場所を変更すれば仕切り部本体によって仕切られる場所も変更できる。また、収納する食品などの大きさや種類によって、仕切り部材の取付場所や取付角度を任意に変更できるようになるため、簡単な構成でありながら、収納ケースの使い勝っての良い冷蔵庫が得られる。また、仕切り部材と収納ケース（扉ポケットなど）とを嵌合・保持するようにしたので、簡単な構成でありながら扉開閉の衝撃で仕切り部材が外れる事がない。
【０１２７】
また、本発明は、冷蔵庫本体１に設けられ、収納物を冷却する貯蔵室２、３、４、５、６を開閉する扉体７、８、９、１０、１１と、この扉体７、８、９、１０、１１の内側に設けられ上方が開口して収納物を収納する扉ポケット２００（２００ａ、２００ｂ、２００ｃ）、２１０（２１０ａ、２１０ｂ、２１０ｃ）と、扉ポケット内を仕切る仕切り部材４００、４０１、４０２、４０３、４０４、４０５、４０６、４０７と、を備え、仕切り部材は、扉ポケット内を仕切る仕切り部本体４１０、４１１、４１２、４１３、４１４、４１５、４１６、４１７と、扉ポケットの底面２４０、２４０ａ、２４０ｂに設けられた扉ポケット嵌合部２５０に嵌合することで扉ポケットに仕切り部本体を保持する仕切り部材嵌合部４３０、４３１、４３２、４３３、４３４、４３５、４３６、４３７と、を有し、仕切り部材を扉ポケットの底面に取付角度や取付箇所を可変に嵌合可能としたので、取付穴の配置を適宜設定することで、着脱可能な仕切り部材の仕切り部の取付角度（仕切り部本体の仕切り角度、方向）を所定角度で変更することが可能となり、また、仕切り部材の取付場所を変更すれば仕切り部本体によって仕切られる場所も変更できる。また、収納する食品などの大きさや種類によって、仕切り部材の取付場所や取付角度を任意に変更できるようになるため、簡単な構成でありながら、たとえば扉ポケットの使い勝っての良い冷蔵庫が得られる。また、仕切り部材と扉ポケットとを嵌合するようにしたので、簡単な構成でありながら扉開閉の衝撃で仕切り部材が外れる事がない。
【０１２８】
また、仕切り部材嵌合部４３０、４３１、４３２、４３３、４３４、４３５、４３６、４３７の形状が略円柱形状や略三角柱形状や略円錐形状や略板状形状などが突出した凸形状であり、扉ポケット嵌合部２５０の形状が仕切り部材嵌合部と嵌合する形状の止まり穴や貫通穴などの凹形状であって、仕切り部材嵌合部が扉ポケット嵌合部に嵌合することで仕切り部材が扉ポケットに保持されるようにしたので、仕切り部材に突起などの凸形状を設け、扉ポケットには底面部に貫通穴や留まり穴などの凹形状を設けるだけの簡単な構成でありながら、仕切り部材の仕切り部の取付角度（仕切り部本体の仕切り角度、方向）を所定角度で任意に変更することが可能となり、また、仕切り部材の取付場所を変更すれば仕切り部本体によって仕切られる場所も変更できる。また、収納する食品などの大きさや種類によって、仕切り部材の取付場所や取付角度を任意に変更できるようになるため、簡単な構成でありながら、収納ケース（たとえば扉ポケット）の使い勝っての良い冷蔵庫が得られる。
【０１２９】
また、仕切り部材４０３、４０４、４０５、４０６が仕切り部本体４１３、４１４、４１５、４１６とスライド仕切り部４５１、４５２、４５３、４５４、４５５、４５６とから構成され、スライド仕切り部が仕切り部本体に収納可能であり、スライド仕切り部を仕切り部本体よりスライドさせて引き出すことで仕切りの長さを可変にできるようにしたので、仕切り部材の仕切り部本体の長さを長くでき、長さの長い１つの仕切り部材として使用できる。また、仕切り部材はスライド仕切り部を仕切り部部本体に収納すると仕切り部材は仕切り部本体の長さと略同等程度まで小さくコンパクトにできるので、使用しない時は邪魔にならずに収納でき、しかも、仕切りとして使用する時には仕切り部材の全体の長さを適宜変更することができる。また、本実施の形態の仕切り部材は、収納ケース（たとえば扉ポケット２００、２１０など）の奥行方向だけでなく、長手方向にも仕切り長さを可変可能であり、収納物の大きさや形状などに応じて適宜、仕切長さを可変にできるので、長さの長い収納物であっても対応できる。したがって、収納物を収納する場合に使い勝手の良い収納ケース（扉ポケットや野菜室ケースなど）、冷蔵庫が得られる。また、着脱可能に食品の形状や大きさに合わせて所定の長さや幅で取り付けることができるので、無駄なスペースが発生しにくく、ユーザにとって使い勝っての良い収納ケース（たとえば扉ポケット）、および冷蔵庫を提供できる。
【０１３０】
また、仕切り部材４０５、４０６が仕切り部本体４１５、４１６と回動可能仕切り部４５７、４５８とから構成され、回動可能仕切り部が仕切り部本体やスライド仕切り部に設けられたヒンジ部４７５、４７６、４７９を介して回動可動としたので、仕切部本体の仕切り方向（長さ方向）に対して回動可能仕切部の仕切方向を収納物の大きさや種類に応じて容易に変更できるので、収納物の収納効率が向上し、しかもユーザにとって使い勝手の良い収納ケース（たとえば扉ポケットや野菜室ケースなど）、冷蔵庫が得られる。また、着脱可能に食品の形状や大きさに合わせて所定の角度や幅で取り付けることができるので、無駄なスペースが発生しにくく、ユーザにとって使い勝っての良い扉ポケットや収納ケース、および冷蔵庫を提供できる。
【０１３１】
また、仕切り部材４０４、４０５、４０６は、板状の仕切り部本体４１４、４１５、４１６と、仕切り部本体が立設するように設けられた台座部４２４、４２５、４２６、４２７と、台座部の仕切り部本体が設けられた面とは反対側の面に突出するように設けられた第１の嵌合部である仕切り部材嵌合部４３４、４３５、４３６とから構成されるようにしたので、仕切り部本体、スライド仕切り部、回動可能仕切り部を取り付けた状態での仕切り部材の強度が向上し、しかも仕切り部材（仕切り部本体やスライド仕切り部や回動可能仕切り部）の設置位置が固定できる。また、仕切り部材、スライド仕切り部、回動可能仕切り部と収納ケース（扉ポケットなど）とを嵌合・保持するようにしたので、簡単な構成でありながら扉開閉の衝撃で仕切り部材が外れる事がない。
【０１３２】
また、第１の嵌合部である収納ケース嵌合部（たとえば扉ポケット嵌合部２５０）が、貫通穴あるいは止まり穴などの複数の嵌合穴であって、嵌合穴が少なくとも格子状、千鳥格子状、三角形状、または多角形状に配置されているので、仕切部材の取り付け場所や取付角度の自由度が向上する。また、第１の嵌合部である収納ケース嵌合部（例えば扉ポケット嵌合部２５０）を略正多角形状に配置し、略正多角形の中心にも取付穴（嵌合穴部、嵌合凹部）を設けているので、仕切部材４００の設置の自由度がさらに向上する。
【０１３３】
また、収納ケースである扉ポケット２００、２１０は扉７Ａ，７Ｂの幅方向に側壁の一部が突出した幅広部２３０を有し、仕切り部材４００〜４０６は仕切り部材の少なくとも一部が幅広部内に収められる形状にしたので、扉ポケットの収納容積を大きくできるとともに、仕切り部材を使用しない場合に扉ポケットの端側の邪魔になりにくい幅広部内に収納可能なので、仕切り部材を使用しない場合に邪魔になりにくい。また、仕切り部材を収納できるので、仕切り部材が紛失する恐れが低減できる。また、仕切り部材を仕切りとして使用しない場合でも、収納ケース内の収納容積を効率よく使用でき、ユーザにとって使い勝っての良い収納ケース、冷蔵庫が得られる。
【０１３４】
また、収納ケース（たとえば扉ポケットなど）は、幅方向端側の底面部に仕切り部材の台座部が挿入可能なスリットや切欠きを有し、スリットや切欠きに仕切り部材の台座部を挿入することで仕切り部材を倒して収納するようにしたので、仕切り部材を使用しない場合に仕切り部材をユーザが容易に収納でき、しかも切欠き部（たとえば貫通穴やスリットなど）より収納ケース内のごみなどを取り出すことができので、清掃が容易である。
【０１３５】
また、冷蔵庫１の本体内に設けられた貯蔵室と、前記貯蔵室内に配置された収納ケース（たとえば扉ポケット２００、２１０）と、前記収納ケースの上面開口側、あるいは収納ケース（たとえば扉ポケット）の底面側を照射する照明装置を貯蔵室内の側壁の前面側２Ｘ、あるいは貯蔵室内の上面壁の前面側２Ｙ、あるいは貯蔵室内の底面壁の前面側２Ｚに設けて貯蔵室を側面側からあるいは上面側からあるいは底面側から照射するようにしたので、たとえば夜間など冷蔵庫の周囲が薄暗い場合や収納ケース内に収納物が収納された状態であっても仕切り部材を取り付けたり、位置の変更を行ったり、収納したりする場合に別途照明を設けなくても容易に行えるので、低コストで省エネルギな冷蔵庫が得られる。この場合、仕切り部材の取付位置が分かるような位置を照射するようにすれば、仕切り部材の取付位置変更や収納が容易にできる。
【０１３６】
また、冷蔵庫を通常の使用状態で設置（略直方体状の冷蔵庫本体を一般的な住宅の略水平な床面に通常使用される状態（ユーザが冷蔵庫として使用する状態）で設置）した場合において、貯蔵室内に設けられ、食品などを載置する載置棚と、貯蔵室内の側壁の前面側、あるいは貯蔵室内の上面壁や底面壁に設けられた貯蔵室内照明装置と、を備え、貯蔵室内照明装置にＬＥＤを使用し、照明装置（ＬＥＤ）と載置棚の前縁までの距離をＬ１、前記貯蔵室内の側壁面間距離をＬ２、側壁面からＬＥＤまでの距離をＬ３、載置棚の前縁から貯蔵室の背面壁までの距離をＬ４としたとき、ＬＥＤが設けられている側壁面に対するＬＥＤ光軸のなす角度θを
Ｔａｎ−１（（Ｌ２＋Ｌ３）／（Ｌ１＋Ｌ４））＜θ＜９０度
の範囲内に設定するようにしたので、使用者にまぶしさを与えず、また、有効照射範囲αを考慮すれば庫内の広い範囲を照射できるので庫内が見やすい。また、扉開放時であっても収納ケースである扉ポケットも照射可能となるため夜間であっても収納ケース内の収納物や仕切り部材が視認できる。したがって、たとえば夜間など冷蔵庫の周囲が薄暗い場合や収納ケース内に収納物が収納された状態であっても仕切り部材を取り付けたり、位置の変更を行ったり、収納したりする場合に別途照明を設けなくても容易に行えるので、低コストで省エネルギな冷蔵庫が得られる。
【０１３７】
また、冷蔵庫を通常の使用状態で設置（略直方体状の冷蔵庫本体を一般的な住宅の略水平な床面に通常使用される状態（ユーザが冷蔵庫として使用する状態）で設置）した場合において、貯蔵室内に設けられ、食品などを載置する載置棚と、貯蔵室内の側壁の前面側、あるいは貯蔵室内の上面壁や底面壁に設けられた貯蔵室内照明装置９００と、を備え、貯蔵室内照明装置にＬＥＤを使用し、照明装置（ＬＥＤ）と載置棚の前縁までの距離をＬ１、前記貯蔵室内の側壁面間距離をＬ２、側壁面からＬＥＤまでの距離をＬ３、としたとき、ＬＥＤが設けられている側壁面に対するＬＥＤ光軸のなす角度θを
Ｔａｎ−１（（Ｌ２＋Ｌ３）／Ｌ１）＜θ＜９０度
の範囲内に設定すれば、ＬＥＤ９１０の光軸９１５が載置棚８０の前縁に直接当たらないため使用者にまぶしさを与えず、また、有効照射範囲αを考慮すれば庫内の広い範囲を照射できるので庫内が見やすい。また、扉開放時であっても扉ポケットも照射可能となるため夜間であってもポケット内の収納物が視認できる。したがって、使用者にまぶしさを与えず、また庫内の広い範囲を照射できるので庫内が見やすいし、また、別途扉ポケット照射用の照明装置を設ける必用がなくなるので、夜間であってもポケット内の収納物が視認できるし、仕切り部材４００〜４０７の仕切り位置の変更や仕切り部材４００〜４０７の扉ポケット２００、２１０内への収納も容易に行える低コストで省エネルギーで扉ポケット２００、２１０内の収納物を効率的に区分けできる使い勝手の良い冷蔵庫が得られる。
【０１３８】
また、貯蔵室内に設けられ、貯蔵室内を照射する貯蔵室内照明装置９００を備え、貯蔵室内照明装置が複数のＬＥＤで構成され、複数のＬＥＤのうちの少なくとも１つを扉ポケットを照射する扉ポケット用照明として使用し、扉体の開放時に扉ポケットの上方あるいは下方の少なくとも一方から前記扉ポケットを照射するようにしたので、別途扉ポケット照射用の照明装置を設ける必用がなくなるので、夜間であってもポケット内の収納物が視認できるし、仕切り部材４００〜４０７の仕切り位置の変更や仕切り部材４００〜４０７の扉ポケット２００、２１０内への収納も容易に行える低コストで省エネルギーで扉ポケット２００、２１０内の収納物を効率的に区分けできる使い勝手の良い冷蔵庫が得られる。また、扉体の開放時に扉ポケットの上方あるいは下方の少なくとも一方から前記扉ポケットを照射するので、仕切り部材４００〜４０７の取付位置（底面部２４０や第１の嵌合部２５０、２５１や第２の嵌合部４３０、４３１近傍）が照射され、取り付けが容易になる。
【０１３９】
また、冷蔵庫を通常の使用状態で設置（略直方体状の冷蔵庫本体を一般的な住宅の略水平な床面に通常使用される状態（ユーザが冷蔵庫として使用する状態）で設置）した場合において、冷蔵庫本体１に設けられ、収納物を冷却する冷蔵室２と、冷蔵室２を開閉する扉体７の内側に設けられた扉ポケット２００、２１０と、冷蔵室２内に設けられ、食品などを載置する載置棚８０と、冷蔵室２内の側壁の前面側に設けられた照明装置９００と、を備え、照明装置９００にＬＥＤ９１０を使用し、照明装置（ＬＥＤ）と載置棚の前縁までの距離をＬ１、前記貯蔵室内の側壁面間距離をＬ２、側壁面からＬＥＤまでの距離をＬ３、としたとき、ＬＥＤが設けられている側壁面に対するＬＥＤ光軸９１５のなす角度θを
Ｔａｎ−１（（Ｌ２＋Ｌ３）／Ｌ１）＜θ＜９０度
の範囲内としてＬＥＤ光軸が載置棚の前縁に当たらないようにして冷蔵室内と扉ポケットの両方を照射するようにしたので、ＬＥＤ９１０の光軸９１５が載置棚８０の前縁に直接当たらないため使用者にまぶしさを与えず、また、有効照射範囲αを考慮すれば庫内の広い範囲を照射できるので庫内が見やすい。また、扉開放時であっても有効照射範囲αを考慮すれば扉ポケットも照射可能となるため夜間であってもポケット内の収納物が視認できる。したがって、使用者にまぶしさを与えず、また庫内の広い範囲を照射できるので庫内が見やすいし、また、別途扉ポケット照射用の照明装置を設ける必用がなくなるので、夜間であってもポケット内の収納物が視認できるし、仕切り部材を供えている場合には、仕切り部材４００〜４０７の仕切り位置の変更や仕切り部材４００〜４０７の扉ポケット２００、２１０内への収納も容易に行える低コストで省エネルギーで扉ポケット２００、２１０内の収納物を効率的に区分けできる使い勝手の良い冷蔵庫が得られる。
【０１４０】
また、冷蔵庫を通常の使用状態で設置（略直方体状の冷蔵庫本体を一般的な住宅の略水平な床面に通常使用される状態（ユーザが冷蔵庫として使用する状態）で設置）した場合において、冷蔵庫本体に設けられ、収納物を冷却する冷蔵室と、前記冷蔵室を開閉する扉体の内側に設けられた扉ポケットと、前記冷蔵室内に設けられ、食品などを載置する載置棚と、前記冷蔵室内の上面壁に設けられた照明装置と、を備え、前記照明装置にＬＥＤを使用し、前記ＬＥＤと前記載置棚の前縁までの水平距離をＬ１、前記載置棚のうち最下段の載置棚の上面と前記ＬＥＤとの垂直方向距離をＬ２、前記上面壁からＬＥＤまでの垂直距離をＬ３、としたとき、前記ＬＥＤが設けられている上壁面に対する前記ＬＥＤの光軸のなす角度θを
Ｔａｎ−１（（Ｌ２＋Ｌ３）／Ｌ１）＜θ＜９０度
の範囲内として前記ＬＥＤの光軸が前記載置棚の前縁に当たらないようにして前記冷蔵室内と前記扉ポケットの両方を照射するようにしたので、ＬＥＤ９１０の光軸９１５が載置棚８０の前縁に直接当たらないため使用者にまぶしさを与えず、また、有効照射範囲αを考慮すれば庫内の広い範囲を照射できるので庫内が見やすい。また、扉開放時であっても有効照射範囲αを考慮すれば扉ポケットも照射可能となるため夜間であってもポケット内の収納物が視認できる。したがって、使用者にまぶしさを与えず、また庫内の広い範囲を照射できるので庫内が見やすいし、また、別途扉ポケット照射用の照明装置を設ける必用がなくなるので、夜間であってもポケット内の収納物が視認できるし、仕切り部材を供えている場合には、仕切り部材４００〜４０７の仕切り位置の変更や仕切り部材４００〜４０７の扉ポケット２００、２１０内への収納も容易に行える低コストで省エネルギーで扉ポケット２００、２１０内の収納物を効率的に区分けできる使い勝手の良い冷蔵庫が得られる。
【符号の説明】
【０１４１】
１  冷蔵庫、１Ａ  機械室、２  冷蔵室、２ａ  チルド室ケース、３  製氷室、４  切替室、５  野菜室、６冷凍室、７、７Ａ、７Ｂ  冷蔵室扉、８  製氷室扉、８ａ  貯氷ケース、９  切替室扉、９ａ  切替室ケース、１０  野菜室扉、１０ａ  野菜室ケース、１１  冷凍室扉、１１ａ  冷凍室ケース、１２  圧縮機、１３  冷却器、１４  冷気循環用ファン（庫内ファン）、１９  切替室サーミスタ、２２  サーモパイル、１５  切替室ダンパ、１６  切替室冷却用風路、３０  制御基板、６０  操作パネル、６０ｃ  瞬冷凍スイッチ（過冷却スイッチ）、７１  土手部、８０  載置棚、２００、２０１、２１０、２１１  扉ポケット、２３０  幅広部、２３５  ポケット固定部、２４０、２４１  底面部、２５０  嵌合穴部、２５１  嵌合突部、４００、４０１、４０２、４０３、４０４、４０５、４０６、４０７  仕切り部材、４１０、４１１、４１２、４１３、４１４、４１５、４１６、４１７  仕切り部本体、４２０、４２１、４２２、４２３、４２４、４２５、４２６、４２７  台座部、４３０、４３１、４３２、４３３、４３４、４３５、４３６、４３７  嵌合穴部、９００  照明装置
【図１】
0005464042.tif 000002
【図２】
0005464042.tif 000003
【図３】
0005464042.tif 000004
【図４】
0005464042.tif 000005
【図５】
0005464042.tif 000006
【図６】
0005464042.tif 000007
【図７】
0005464042.tif 000008
【図８】
0005464042.tif 000009
【図９】
0005464042.tif 000010
【図１０】
0005464042.tif 000011
【図１１】
0005464042.tif 000012
【図１２】
0005464042.tif 000013
【図１３】
0005464042.tif 000014
【図１４】
0005464042.tif 000015
【図１５】
0005464042.tif 000016
【図１６】
0005464042.tif 000017
【図１７】
0005464042.tif 000018
【図１８】
0005464042.tif 000019
【図１９】
0005464042.tif 000020
【図２０】
0005464042.tif 000021
【図２１】
0005464042.tif 000022
【図２２】
0005464042.tif 000023